(57)【要約】  本開示の通信装置は、ランダムアクセスのためにリソースユニット（ＲＵ）を配分するためのトリガフレーム、ならびに、ＯＦＤＭＡコンテンションウィンドウ（ＯＣＷ）最小値（ＯＣＷｍｉｎ）を示す第１のフィールドおよびＯＣＷ最大値（ＯＣＷｍａｘ）を示す第２のフィールドを含むランダムアクセスパラメータエレメントを含む別のフレームを受信する受信部と、ＯＣＷｍｉｎおよびＯＣＷｍａｘを用いてアップリンクＯＦＤＭＡベースランダムアクセス（ＵＯＲＡ）手順を制御する制御回路とを備える。
2019531012.tif 000002
【特許請求の範囲】
【請求項１】
動作時に、ランダムアクセスのためにリソースユニット（ＲＵ）を配分するためのトリガフレーム、ならびに、ＯＦＤＭＡコンテンションウィンドウ（ＯＣＷ）最小値（ＯＣＷｍｉｎ）を示す第１のフィールドおよびＯＣＷ最大値（ＯＣＷｍａｘ）を示す第２のフィールドを含むランダムアクセスパラメータエレメントを含む別のフレームを受信する受信部と、
動作時に、前記ＯＣＷｍｉｎおよび前記ＯＣＷｍａｘを用いてアップリンクＯＦＤＭＡベースランダムアクセス（ＵＯＲＡ）手順を制御する制御回路と
を備える、通信装置。
【請求項２】
前記他のフレームは、ビーコンフレームおよびプローブ応答フレームのうちの１つである、請求項１に記載の通信装置。
【請求項３】
前記制御回路は、
ＯＦＤＭＡバックオフ（ＯＢＯ）カウンタが前記トリガフレームにおけるランダムアクセスのための利用可能なＲＵの数以下であるときに、前記ＯＢＯカウンタをゼロにデクリメントし、
そうでない場合、前記ランダムアクセスのための利用可能なＲＵの数だけ、前記ＯＢＯカウンタをデクリメントする、請求項１に記載の通信装置。
【請求項４】
前記ランダムアクセスのための利用可能なＲＵは、前記通信装置がアップリンクフレームを送信することができるランダムアクセスＲＵである、請求項３に記載の通信装置。
【請求項５】
前記ランダムアクセスのための利用可能なＲＵは、２０ＭＨｚ動作局装置のために使用されるように無制限なＲＵである、請求項３に記載の通信装置。
【請求項６】
前記制御回路は、
前記ＯＣＷｍｉｎおよび前記ＯＣＷｍａｘの範囲内のＯＣＷ値を設定し、
前記ＯＢＯカウンタを、０および前記ＯＣＷ値の範囲内の整数値に初期化する、請求項３に記載の通信装置。
【請求項７】
プライマリ２０ＭＨｚチャネル帯域幅において動作する局装置であり、
前記ランダムアクセスのための利用可能なＲＵは、前記プライマリ２０ＭＨｚチャネル帯域幅内で前記局装置のために使用されるように無制限なＲＵである、請求項３に記載の通信装置。
【請求項８】
前記通信装置は、２０ＭＨｚチャネル帯域幅において動作する２０ＭＨｚ限定非アクセスポイント局装置である、請求項１に記載の通信装置。
【請求項９】
前記トリガフレームは、共通情報フィールド、および、複数のユーザ情報フィールドを含み、前記複数のユーザ情報フィールドの各々は、識別子サブフィールド、および、前記識別子サブフィールドによって識別される局装置によってアップリンクデータ送信に使用されるＲＵを示すＲＵ配分サブフィールドを含む、請求項１に記載の通信装置。
【請求項１０】
ランダムアクセスのためにリソースユニット（ＲＵ）を配分するためのトリガフレーム、ならびに、ＯＦＤＭＡコンテンションウィンドウ（ＯＣＷ）最小値（ＯＣＷｍｉｎ）を示す第１のフィールドおよびＯＣＷ最大値（ＯＣＷｍａｘ）を示す第２のフィールドを含むランダムアクセスパラメータエレメントを含む別のフレームを受信することと、
前記ＯＣＷｍｉｎおよび前記ＯＣＷｍａｘを用いてアップリンクＯＦＤＭＡベースランダムアクセス（ＵＯＲＡ）手順を制御することと
を含む、通信方法。
【請求項１１】
前記他のフレームは、ビーコンフレームおよびプローブ応答フレームのうちの１つである、請求項１０に記載の通信方法。
【請求項１２】
ＯＦＤＭＡバックオフ（ＯＢＯ）カウンタが前記トリガフレームにおけるランダムアクセスのための利用可能なＲＵの数以下であるときに、前記ＯＢＯカウンタをゼロにデクリメントすることと、
そうでない場合、前記ランダムアクセスのための利用可能なＲＵの数だけ、前記ＯＢＯカウンタをデクリメントすることと
を含む、請求項１０に記載の通信方法。
【請求項１３】
前記ランダムアクセスのための利用可能なＲＵは、前記トリガフレームの受信者である通信装置がアップリンクフレームを送信することができるランダムアクセスＲＵである、請求項１２に記載の通信方法。
【請求項１４】
前記ランダムアクセスのための利用可能なＲＵは、２０ＭＨｚ動作局装置のために使用されるように無制限なＲＵである、請求項１２に記載の通信方法。
【請求項１５】
前記ＯＣＷｍｉｎおよび前記ＯＣＷｍａｘの範囲内のＯＣＷ値を設定することと、
前記ＯＢＯカウンタを、０および前記ＯＣＷ値の範囲内の整数値に初期化することと
を含む、請求項１２に記載の通信方法。
【請求項１６】
前記トリガフレームの受信者は、プライマリ２０ＭＨｚチャネル帯域幅において動作する局装置であり、
前記ランダムアクセスのための利用可能なＲＵは、前記プライマリ２０ＭＨｚチャネル帯域幅内で前記局装置のために使用されるように無制限なＲＵである、請求項１２に記載の通信方法。
【請求項１７】
前記トリガフレームの受信者は、２０ＭＨｚチャネル帯域幅において動作する２０ＭＨｚ限定非アクセスポイント局装置である、請求項１０に記載の通信方法。
【請求項１８】
前記トリガフレームは、共通情報フィールド、および、複数のユーザ情報フィールドを含み、前記複数のユーザ情報フィールドの各々は、識別子サブフィールド、および、前記識別子サブフィールドによって識別される局装置によってアップリンクデータ送信に使用されるＲＵを示すＲＵ配分サブフィールドを含む、請求項１０に記載の通信方法。
【発明の詳細な説明】
【技術分野】
【０００１】
本開示は、概して、通信装置および通信方法に関する。
【背景技術】
【０００２】
ＩＥＥＥ（米国電気電子技術者協会）８０２．１１ワーキンググループは、高密度状況においてユーザが実世界で獲得するスループットを非常に大幅に増大させることを達成するために、８０２．１１ａｘ  ＨＥ（高効率）ＷＬＡＮ（ワイヤレスローカルエリアネットワーク）エアインターフェースを開発している。ＯＦＤＭＡ（直交周波数分割多元接続）マルチユーザ送信が、８０２．１１ａｘにおいて最も重要な特徴の１つとして計画されている。ＯＦＤＭＡは、ＯＦＤＭ（直交周波数分割多重化）システムの時間および周波数リソースを介して複数のユーザへのおよび複数のユーザからのデータストリームの複数の操作を実施する多元接続方式である。
【０００３】
８０２．１１ａｘにおいてＯＦＤＭＡマルチユーザ送信のために周波数スケジューリングを実施するための研究が進行中である。周波数スケジューリングは、一般的に、ＲＵ（リソースユニット）に基づいて実施される。ＲＵは、複数の連続的なサブキャリアを含む。周波数スケジューリングによれば、無線通信アクセスポイント装置（以降、単に「アクセスポイント」または「ＡＰ」）が、ＲＵを、複数の無線通信局装置（以降、単に「端末局」または「ＳＴＡ」）に、ＳＴＡの周波数帯域の受信品質に基づいて適応的に割り当てる。これによって、最大のマルチユーザダイバーシティ効果を得、通信を非常に効率的に実施することが可能である。
【０００４】
しかしながら、アップリンク（ＵＬ）マルチユーザＯＦＤＭＡ送信には、一定の条件が課されている。例えば、ＵＬマルチユーザＯＦＤＭＡ送信に関与するすべてのＳＴＡは、それらの送信を、同じ時点において開始し、また同じ時点において終了するように同期する必要がある。８０２．１１ａｘにおいて、これは、トリガフレームと呼ばれる特別な制御フレームを送信するＡＰによって達成される。トリガフレームは、ＵＬマルチユーザ送信に関与し得るＳＴＡの各々の識別情報、送信持続時間、各ＳＴＡに対するＲＵ配分、および、他の有用な情報のような情報を搬送する。トリガフレームにおいて示されるＳＴＡは、例えば、ＳＩＦＳ（短フレーム間間隔、トリガフレームの終わりから）などの固定時間間隔後に、それらのそれぞれ配分されているＲＵ上でそれらのそれぞれのフレームを送信する。この構成は、ＡＰが、バッファステータスおよびＳＴＡ動作状態などのような、ＵＬマルチユーザ送信に関与するＳＴＡに関する十分な情報を有する場合に、良好に機能する。しかし、ＡＰが、ＲＵ配分を効率的に実施するのに十分な、ＳＴＡに関する情報を有し得ない場合がある。そのような場合、ＲＵをＳＴＡに配分し、ＳＴＡが、それらの実際の必要性に基づいてＲＵを求めて競合するようにすることが有益である。そのような必要性を満たすために、ＵＬ  ＯＦＤＭＡベースランダムアクセス（ＵＯＲＡ）メカニズムが、８０２．１１ａｘにおいて導入されている。
【先行技術文献】
【非特許文献】
【０００５】
【非特許文献１】IEEE802.11-15/0132r17, Specification Framework for TGax, May 2016
【非特許文献２】IEEE802.11-16/0024r1, Proposed TGax draft specification, March 2016
【非特許文献３】IEEE802.11-15/1105r0, UL OFDMA-based Random Access Method, September 2015
【非特許文献４】IEEE 802.11-15/1137r1, Triggered OFDMA Random Access Observations, September 2015
【非特許文献５】IEEE 802.11-16/0780r1, CIDs for: Section 9.3.1.23 Trigger Frame Format, April 2016
【非特許文献６】IEEE 802.11-16/0806r0, HE Variant HT Control - Buffer Status Report, July 2016
【非特許文献７】IEEE 802.11-15/1107r0, Power Save with Random Access, September 2015
【非特許文献８】IEEE 802.11-16/0907r3, 20MHz-only Device in 11ax, July 2016
【非特許文献９】IEEE 802.11-16/0906r0, RU Restriction of 20MHz Operating Devices in OFDMA, July 2016
【非特許文献１０】IEEE 802.11-16/1162r3, Comment Resolution on Retransmission of OFDMA Random Access, September 2016
【非特許文献１１】IEEE 802.11-16/1158r0, Comment resolution on OFDMA Random access method, September 2016
【非特許文献１２】IEEE 802.11-16/1222r1, Resolution for CIDs on UL OFDMA-based Random Access, September 2016
【非特許文献１３】IEEE 802.11-16/1516r1, Random Access CIDs, November 2016
【非特許文献１４】IEEE 802.11-16/1458r0, Resolution for CIDs on Power Save with UL OFDMA-based Random Access, November 2016
【非特許文献１５】IEEE 802.11-16/1477r2, CC23 Proposed Resolution (Update for) TWT Element, November 2016
【発明の概要】
【発明が解決しようとする課題】
【０００６】
８０２．１１ａｘにおいて、４０、８０、８０＋８０または１６０ＭＨｚ  ＯＦＤＭＡ動作におけるいくつかのＲＵは、２０ＭＨｚ動作ＳＴＡのために使用されないように制限されている。現在、ＡＰによるトリガフレームにおけるランダムアクセスのためにＲＵがどのように割り当てられるかに関する規則は存在しない。いくつかの事例において、２０ＭＨｚ動作ＳＴＡにとって使用可能な、トリガフレームにおけるランダムアクセスのためのＲＵは割り当てられず、したがって、２０ＭＨｚ動作ＳＴＡは、ランダムアクセスのためのトリガフレームを受信するときに、ＵＯＲＡメカニズムを有するＡＰに達する機会を得ることができない。
【課題を解決するための手段】
【０００７】
本開示の１つの非限定的な例示的実施形態は、２０ＭＨｚ動作ＳＴＡが、ＵＯＲＡメカニズムを有するＡＰに達する機会を得ることを可能にすることを促進することができる通信装置を提供する。
【０００８】
１つの一般的な態様において、本明細書において開示される技法は、ランダムアクセスのためにリソースユニット（ＲＵ）を配分するためのトリガフレーム、ならびに、ＯＦＤＭＡコンテンションウィンドウ（ＯＣＷ）最小値（ＯＣＷｍｉｎ）を示す第１のフィールドおよびＯＣＷ最大値（ＯＣＷｍａｘ）を示す第２のフィールドを含むランダムアクセスパラメータエレメントを含む別のフレームを受信する受信部と、ＯＣＷｍｉｎおよびＯＣＷｍａｘを用いてアップリンクＯＦＤＭＡベースランダムアクセス（ＵＯＲＡ）手順を制御する制御回路とを備える、通信装置を特徴とする。
【０００９】
これらの一般的な態様および特定の態様は、デバイス、システム、方法、およびコンピュータプログラム、ならびに、デバイス、システム、方法、およびコンピュータプログラムの任意の組み合わせを使用して実装することができる。
【００１０】
本開示に記載されている装置および方法を利用することによって、２０ＭＨｚ動作ＳＴＡが、ＵＯＲＡメカニズムを有するＡＰに達する機会を得ることができる。
【００１１】
開示されている実施形態の追加の恩恵および利点が、本明細書および図面から明らかとなろう。恩恵および／または利点は、本明細書および図面の様々な実施形態および特徴によって個々に得ることができ、そのような恩恵および／または利点の１つまたは複数を得るためにすべてが与えられる必要はない。
【図面の簡単な説明】
【００１２】
【図１】マルチユーザワイヤレス通信システムを示す図である。
【図２】ＳＴＡによって動作させられる例示的なＵＬ  ＯＦＤＭＡベースランダムアクセス方法を示す流れ図である。
【図３】ＵＬ  ＯＦＤＭＡベースランダムアクセスに関係付けられる例示的なマルチユーザフレーム交換を示す図である。
【図４】トリガフレームの例示的なフォーマットを示す図である。
【図５】本開示の第１の実施形態に係る、２０ＭＨｚ動作ＳＴＡによって動作させられる第１の例示的なＵＬ  ＯＦＤＭＡベースランダムアクセス方法を示す流れ図である。
【図６】本開示の第１の実施形態に係る、非２０ＭＨｚ動作ＳＴＡによって動作させられる例示的なＵＬ  ＯＦＤＭＡベースランダムアクセス方法を示す流れ図である。
【図７】本開示の第１の実施形態に係る、ＵＬ  ＯＦＤＭＡベースランダムアクセスに関係付けられる第１の例示的なマルチユーザフレーム交換を示す図である。
【図８】本開示の第１の実施形態に係る、２０ＭＨｚ動作ＳＴＡによって動作させられる第２の例示的なＵＬ  ＯＦＤＭＡベースランダムアクセス方法を示す流れ図である。
【図９】本開示の第１の実施形態に係る、ＵＬ  ＯＦＤＭＡベースランダムアクセスに関係付けられる第２の例示的なマルチユーザフレーム交換を示す図である。
【図１０】本開示の第１の実施形態に係る、トリガフレームの例示的なフォーマットを示す図である。
【図１１】本開示の第１の実施形態に係る、ＵＬ  ＯＦＤＭＡベースランダムアクセスパラメータエレメントの例示的なフォーマットを示す図である。
【図１２】本開示の第２の実施形態に係る、非２０ＭＨｚ動作ＳＴＡによって動作させられる第１の例示的なＵＬ  ＯＦＤＭＡベースランダムアクセス方法を示す流れ図である。
【図１３】本開示の第２の実施形態に係る、ＵＬ  ＯＦＤＭＡベースランダムアクセスに関係付けられる第１の例示的なマルチユーザフレーム交換を示す図である。
【図１４】本開示の第２の実施形態に係る、非２０ＭＨｚ動作ＳＴＡによって動作させられる第２の例示的なＵＬ  ＯＦＤＭＡベースランダムアクセス方法を示す流れ図である。
【図１５】本開示の第２の実施形態に係る、ＵＬ  ＯＦＤＭＡベースランダムアクセスに関係付けられる第２の例示的なマルチユーザフレーム交換を示す図である。
【図１６】本開示の第２の実施形態に係る、トリガフレームの例示的なフォーマットを示す図である。
【図１７】ＴＷＴエレメントの例示的なフォーマットを示す図である。
【図１８】本開示の第３の実施形態に係る、ＴＷＴエレメントの例示的なフォーマットを示す図である。
【図１９Ａ】本開示に係る例示的なＳＴＡの単純なブロック図である。
【図１９Ｂ】本開示に係る例示的なＳＴＡの詳細なブロック図である。
【図２０Ａ】本開示に係る例示的なＡＰの単純なブロック図である。
【図２０Ｂ】本開示に係る例示的なＡＰの詳細なブロック図である。
【発明を実施するための形態】
【００１３】
本開示は以下の図面および説明を参照することによって、よりよく理解することができる。本明細書に記載されている実施形態は、本質的に例示に過ぎず、本開示の可能な応用形態および用途のいくつかを説明するために使用され、本明細書に明示的に記載されていない代替的な実施形態に関して本開示を限定するものとして解釈されるべきではない。
【００１４】
任意のワイヤレス通信システムにおいて、多種多様なデバイスがワイヤレスネットワークの一部になり得、各デバイスは、トラフィック需要、デバイス機能、電源タイプなどに関して異なる。一部のクラスのデバイスは、帯域幅要件が高く、待ち時間または送信成功率などに関してＱｏＳ（サービス品質）要件が高い場合がある。しかし、それらは主電源を得られるかまたは大容量バッテリを有することができるため、電力消費についてはあまり懸念されない場合がある（例えば、ラップトップコンピュータ）。別のクラスのデバイスは、帯域幅要件があまり高くなく、また、ＱｏＳ要件もそれほど厳密でない場合があるが、電力消費については相対的により懸念される場合がある（例えば、携帯電話）。また別のクラスのデバイスは、帯域幅要件が低いとともに、デューティサイクルが非常に低い場合があるが、バッテリが極端に小型であるか、または、平均寿命が極端に長いことに起因して、電力消費に非常に敏感である場合がある（例えば、遠隔検知のためのセンサ）。
【００１５】
多くのワイヤレス通信システムにおいて、ワイヤレスネットワークカバレージエリア、ワイヤレス周波数チャネル、デバイス受入方針、他の隣接するワイヤレスネットワークとの協調などを決定し、また、バックエンドインフラストラクチャネットワークに対するゲートウェイとしても通常機能する１つまたは複数の中央コントローラが存在する。中央コントローラの例は、セルラワイヤレスネットワーク内の基地局もしくはｅＮＢまたはＷＬＡＮ内のＡＰである。
【００１６】
本開示において記載されている技法は、多くのワイヤレス通信システムに適用することができるが、例示のために、本開示における記載の残りの部分は、ＩＥＥＥ８０２．１１ＷＬＡＮシステムおよびその関連する用語に関して説明される。これは、代替的なワイヤレス通信システムに関して本開示を限定するものとして解釈されるべきではない。ＩＥＥＥ８０２．１１ベースＷＬＡＮにおいて、ネットワークの大部分はインフラストラクチャモードにおいて動作する。すなわち、ネットワーク内のトラフィックのすべてまたはほとんどが、ＡＰを経由する必要がある。そのため、ＷＬＡＮに参加することを所望する任意のＳＴＡは、最初に、関連付けおよび認証と呼ばれるプロセスを通じてＡＰとネットワークメンバーシップについて交渉しなければならない。
【００１７】
図１は、ＡＰ１１０および複数のＳＴＡを含む例示的なワイヤレスネットワーク１００を示す。ＳＴＡ２  １２４およびＳＴＡ６  １３４は、帯域幅が高く、ＱｏＳ要件が高い可能性があり、相対的に電力節約に対する要件が低いデバイスクラスを表し、これらは２０、４０、８０、８０＋８０または１６０ＭＨｚのチャネル幅で動作することが可能であり得る。ＳＴＡ１  １２２およびＳＴＡ４  １３２は、同じく帯域幅が高く、ＱｏＳ要件が高い可能性があり得るが、相対的に電力節約に対する懸念が高い別のデバイスクラスを表し、これらは２０、４０または８０ＭＨｚのチャネル幅で動作することが可能であり得る。他方の極端な事例において、ＳＴＡ３  １２６およびＳＴＡ５  １３６は、帯域幅要件が低いものであり得るが、電力消費に非常に敏感であり得る別のクラスのデバイスを表し、これらは２０ＭＨｚチャネル幅でしか動作することができないものであり得る。このデバイスクラスのＳＴＡは、「２０ＭＨｚ動作ＳＴＡ」または「２０ＭＨｚ限定ＳＴＡ」と呼ばれる場合がある。２０ＭＨｚ動作ＳＴＡ（例えば、ＳＴＡ３  １２６およびＳＴＡ５  １３６）はプライマリ２０ＭＨｚチャネルにおいてのみ動作することに留意されたい。言い換えれば、プライマリ２０ＭＨｚチャネル内に位置しないＲＵは、２０ＭＨｚ動作ＳＴＡによって使用することができない。加えて、非２０ＭＨｚ動作ＳＴＡ（例えば、ＳＴＡ１  １２２、ＳＴＡ２  １２４、ＳＴＡ４  １３２およびＳＴＡ６  １３４）は、電力節約を目的としていわゆる動作モード指示手順によって、それらの動作チャネル幅を２０ＭＨｚまで低減することができる。
【００１８】
２０ＭＨｚ帯域幅におけるＲＵトーンマッピングは、４０、８０、８０＋８０または１６０ＭＨｚ帯域幅におけるＲＵトーンマッピングと位置整合されない。ＲＵ位置の不整合に起因して、一部のＲＵは、２０ＭＨｚ動作ＳＴＡが４０、８０、８０＋８０または１６０ＭＨｚダウンリンク（ＤＬ）またはＵＬ  ＯＦＤＭＡ動作に携わるときに、多大な性能ペナルティまたは隣接するＲＵに対する干渉を引き起こす可能性がある。スループットおよび相互運用性を改善するために、４０、８０、８０＋８０または１６０ＭＨｚ  ＯＦＤＭＡ動作におけるいくつかのＲＵは、２０ＭＨｚ動作ＳＴＡのために使用されないように制限されている。より詳細には、４０ＭＨｚ  ＤＬまたはＵＬ  ＯＦＤＭＡ動作に関して、１８個のうち２個（すなわち、５％）の２６トーンＲＵが、２０ＭＨｚ動作ＳＴＡに使用されないように制限されるべきである。８０ＭＨｚ  ＤＬまたはＵＬ  ＯＦＤＭＡ動作に関して、３７個のうち７個（すなわち、１９％）の２６トーンＲＵ、１６個のうち２個（すなわち、１２．５％）の５２トーンＲＵ、８個のうち２個（すなわち、２５％）の１０６トーンＲＵは、２０ＭＨｚ動作ＳＴＡに配分されるべきでない。８０＋８０または１６０ＭＨｚ  ＤＬまたはＵＬ  ＯＦＤＭＡ動作に関して、７４個のうち１４個（すなわち、１９％）の２６トーンＲＵ、３２個のうち４個（すなわち、１２．５％）の５２トーンＲＵ、１６個のうち４個（すなわち、２５％）の１０６トーンＲＵは、２０ＭＨｚ動作ＳＴＡに配分されるべきでない。さらに、２４２トーンＲＵは、４０、８０、８０＋８０または１６０ＭＨｚ  ＵＬ  ＯＦＤＭＡ動作において２０ＭＨｚ動作ＳＴＡに配分されるべきではない。明らかなように、４０、８０、８０＋８０または１６０ＭＨｚ  ＯＦＤＭＡ動作において２０ＭＨｚ動作ＳＴＡに使用されないように制限されるＲＵの数は重要ではない。
【００１９】
＜ＵＬ  ＯＦＤＭＡベースランダムアクセス＞
ＵＯＲＡは、ＳＴＡが、要請するトリガフレームにおけるＡＰ１１０によるランダムアクセスのために割り当てられるＲＵをランダムに選択するためのメカニズムである。ＵＯＲＡメカニズムを使用するＳＴＡは、ＯＦＤＭＡバックオフ（ＯＢＯ）カウンタと称される内部カウンタを維持する。ＯＦＤＭＡコンテンションウィンドウ（ＯＣＷ）は、ＯＣＷｍｉｎの初期値およびＯＣＷｍａｘの上限を有する整数である。ＡＰ１１０は、ＳＴＡに、ＵＯＲＡ動作のＯＣＷｍｉｎおよびＯＣＷｍａｘの値を報告する。
【００２０】
図２は、ＳＴＡによって動作させられる例示的なＵＯＲＡ方法２００を示す。ＵＯＲＡ方法２００は、ＳＴＡが、ＡＰ１１０からランダムアクセスのためのトリガフレームを受信するときに開始する。例示的なＵＯＲＡ方法の詳細は後述する。
【００２１】
図４は、共通情報（Ｃｏｍｍｏｎ  Ｉｎｆｏ）フィールド４１０および１つまたは複数のユーザ情報（Ｕｓｅｒ  Ｉｎｆｏ）フィールド４２０を含む、トリガフレーム４００の例示的なフォーマットを示す。共通情報フィールド４１０は、トリガタイプ（Ｔｒｉｇｇｅｒ  Ｔｙｐｅ）サブフィールド４１２、カスケード指示（Ｃａｓｃａｄｅ  Ｉｎｄｉｃａｔｉｏｎ）サブフィールド４１４および任意選択のトリガ依存共通情報（Ｔｒｉｇｇｅｒ  Ｄｅｐｅｎｄｅｎｔ  Ｃｏｍｍｏｎ  Ｉｎｆｏ）サブフィールド４１６を含む。トリガタイプサブフィールド４１２は、例えば、基本トリガ（ｂａｓｉｃ  Ｔｒｉｇｇｅｒ）、ビームフォーミング報告ポールトリガ（ｂｅａｍｆｏｒｍｉｎｇ  ｒｅｐｏｒｔ  ｐｏｌｌ  Ｔｒｉｇｇｅｒ）、ＢＳＲＰ（バッファステータス報告ポール）トリガまたはランダムアクセストリガなどの、トリガフレーム４００のタイプを示す。ランダムアクセストリガフレームは、単一のユーザ情報フィールド４２０を含むことに留意されたい。ＡＰ１１０は、ランダムアクセスのための１つまたは複数のＲＵを含む、基本トリガフレーム、ランダムアクセストリガフレームまたはＢＳＲＰトリガフレームを送信することができる。カスケード指示サブフィールド４１４が１である場合、後続のトリガフレームがトリガフレーム４００に続く。そうでない場合、カスケード指示サブフィールド４１４は０である。ユーザ情報フィールド４２０は、ＡＩＤ１２サブフィールド４２２、ＲＵ配分サブフィールド４２４およびＳＳ配分サブフィールド４２６を含む。ＡＩＤ１２サブフィールド４２２は、ユーザ情報フィールド４２０が意図されるＳＴＡのＡＩＤ（アソシエーション識別子）の下位１２ビットを搬送する。ＡＩＤ１２サブフィールド４２２が０である場合、これは、ユーザ情報フィールド４２０がランダムアクセスのためのＲＵを識別することを示す。ＲＵ配分サブフィールド４２４は、トリガベースＰＰＤＵ（物理レイヤプロトコルデータユニット）を送信するためにＡＩＤ１２サブフィールド４２２によって識別されるＳＴＡに配分されるＲＵを示す。ランダムアクセストリガフレームを除いて、ユーザ情報フィールド４２０のＳＳ配分サブフィールド４２６は、ＡＩＤ１２サブフィールド４２２によって識別されるＳＴＡのトリガベースＰＰＤＵ応答の空間ストリームを示す。ランダムアクセストリガフレームについて、ユーザ情報フィールド４２０のＳＳ配分サブフィールド４２６は、ＲＵ配分サブフィールド４２４において示されるＲＵから開始するランダムアクセスに使用される連続するＲＵの数を示し、各ＲＵはＲＵ配分サブフィールド４２４に示されるサイズと同じサイズを有する。
【００２２】
図２に戻って参照すると、ステップ２０２において、ＳＴＡは、そのＵＬ送信が、最初のトリガベースＰＰＤＵ送信である、または、成功したトリガベースＰＰＤＵ送信に後続するものであるか否かを判定する。そのＵＬ送信が最初のトリガベースＰＰＤＵ送信である、または、成功したトリガベースＰＰＤＵ送信に後続するものである場合、ステップ２０４において、ＳＴＡは、ＯＣＷの値をＯＣＷｍｉｎに設定する。そうでない場合、ステップ２０６において、ＳＴＡは引き続き、そのＵＬ送信が不首尾なトリガベースＰＰＤＵ送信の再送信であるか否かをチェックする。そのＵＬ送信が不首尾なトリガベースＰＰＤＵ送信の再送信である場合、ＵＯＲＡ方法２００はステップ２１０に進む。そうでない場合、ＵＯＲＡ方法２００はステップ２１２にジャンプする。
【００２３】
ステップ２１０において、ＳＴＡは、そのＯＢＯカウンタをゼロおよびＯＣＷの範囲内のランダム値に初期化し、ＵＯＲＡ方法２００はステップ２１４に進む。ステップ２１２において、ＳＴＡは、そのＯＢＯカウンタがゼロに等しいか否かを判定する。そのＯＢＯカウンタがゼロに等しい場合、これは、ＳＴＡがコンテンションに勝利し、前回受信されたトリガフレームにおけるランダムアクセスのためのＲＵのうちの１つを選択したが、ビジーであると考えられ、前回選択されたそのＲＵにおいてトリガベースＰＰＤＵを送信しなかったことを意味し、ＵＯＲＡ方法２００はステップ２２２に進む。そのＯＢＯカウンタがゼロに等しくない場合、これは、ＳＴＡが、前回受信されたトリガフレームにおけるランダムアクセスのためのＲＵにアクセスするためのコンテンションに勝利しなかったことを意味し、ＵＯＲＡ方法２００はステップ２１４に進む。
【００２４】
ステップ２１４において、ＳＴＡは、そのＯＢＯカウンタが、受信されているトリガフレームにおけるランダムアクセスのためのＲＵの数よりも小さいか否かをチェックする。そのＯＢＯカウンタが、受信されているトリガフレームにおけるランダムアクセスのためのＲＵの数よりも小さい場合、ステップ２１６において、ＳＴＡは、そのＯＢＯカウンタをゼロにデクリメントする。すなわち、ＳＴＡは、ランダムアクセスコンテンションに勝利し、ＵＯＲＡ方法２００はステップ２２２にジャンプする。そうでない場合、ステップ２１８において、ＳＴＡは、そのＯＢＯカウンタを、受信されているトリガフレームにおけるランダムアクセスのためのＲＵの数だけデクリメントする。そのＯＢＯカウンタが、受信されているトリガフレームにおけるランダムアクセスのためのＲＵの数と同じであるとき、ＳＴＡは実際には、そのＯＢＯカウンタをゼロにデクリメントすることに留意されたい。ステップ２２０において、ＳＴＡは、そのＯＢＯカウンタがゼロに等しいか否かを判定する。そのＯＢＯカウンタがゼロに等しい場合、ＳＴＡは、ランダムアクセスコンテンションに勝利し、ＵＯＲＡ方法２００はステップ２２２に進む。そうでない場合、ＵＯＲＡ方法２００は単に停止する。
【００２５】
ステップ２２２において、ＳＴＡは、受信されているトリガフレームにおけるランダムアクセスのためのＲＵの１つをランダムに選択する。ステップ２２４において、ＳＴＡは、選択されているＲＵが、物理的および仮想的の両方のキャリア検知の結果としてアイドルであるか否かをチェックする。選択されているＲＵがアイドルである場合、ステップ２２６において、ＳＴＡは、選択されているＲＵにおいてトリガベースＰＰＤＵを送信する。そうでない場合、ＵＯＲＡ方法２００は単に停止する。
【００２６】
ステップ２２８において、ＳＴＡは、選択されているＲＵにおいてトリガベースＰＰＤＵの送信に成功したか否かを判定する。選択されているＲＵにおいて送信されるトリガベースＰＰＤＵが即時の応答を要請し、予測される応答が受信されない場合、送信は不首尾であると考えられ、ＵＯＲＡ方法２００はステップ２３０に進む。そうでない場合、送信は成功したと考えられ、ＵＯＲＡ方法２００は単に停止する。選択されているＲＵにおいて送信されるトリガベースＰＰＤＵが即時の応答を要請しない場合も、送信は成功したと考えられる。ステップ２３０において、ＳＴＡは、ＯＣＷの値を、｛ＯＣＷの現在の値の２倍および１の和｝および｛ＯＣＷｍａｘの値｝の最小値に設定し、その後、ＵＯＲＡ方法２００は単に停止する。
【００２７】
図３は、図２に示す例示的なＵＯＲＡ方法２００を使用するＳＴＡを含む例示的なマルチユーザフレーム交換を示す。３つのＳＴＡ（例えば、図１のＳＴＡ１  １２２、ＳＴＡ２  １２４およびＳＴＡ３  １２６）が、ＵＯＲＡ方法２００を使用したＵＬ送信を求めて競合する。ＳＴＡ１  １２２、ＳＴＡ２  １２４およびＳＴＡ３  １２６は、ＡＰ１１０からトリガフレーム３１０を受信すると、ＵＯＲＡ方法２００を開始する。トリガフレーム３１０は、すべてのＳＴＡにとって利用可能である、ランダムアクセスのための３つのＲＵ（すなわち、ＡＩＤがゼロに設定されているＲＵ１、ＲＵ２およびＲＵ３）を含む。ＳＴＡ１  １２２、ＳＴＡ２  １２４およびＳＴＡ３  １２６の各々のＵＬ送信は、最初のトリガベースＰＰＤＵ送信であるか、または、成功したトリガベースＰＰＤＵ送信に続くものであり、ＳＴＡ１  １２２、ＳＴＡ２  １２４およびＳＴＡ３  １２６のＯＢＯカウンタが、それぞれ１１、５および３に初期化されると仮定する。受信されているトリガフレーム３１０におけるランダムアクセスのためのＲＵの数は３であるため、ＳＴＡ１  １２２、ＳＴＡ２  １２４およびＳＴＡ３  １２６のＯＢＯカウンタはそれぞれ８、２および０になる。最終的に、そのＯＢＯカウンタが０であるＳＴＡ３  １２６がコンテンションに勝利し、アイドルであると考えられるＲＵ３をランダムに選択し、トリガフレーム３１０を受信した後に、ＲＵ３  ＳＩＦＳにおいてトリガベースＰＰＤＵ３２０を送信する。ＳＴＡ３  １２６が、トリガベースＰＰＤＵ３２０を送信した後、所定の期間内にＡＰ１１０から確認応答フレーム３３０を受信した場合、トリガベースＰＰＤＵ３２０の送信は成功である。そうでない場合、トリガベースＰＰＤＵ３２０の送信は不首尾である。
【００２８】
ＵＯＲＡは、ＡＰ１１０の自由裁量によって任意の時点においてスケジュールすることができるが、最も可能性の高い使用シナリオは、ＡＰ１１０が、ＡＰ１１０と通信することが不可能である、関連付けられていないＳＴＡの存在について知らない時点である。特に、ＡＰ１１０は、関連付けられていない２０ＭＨｚ動作ＳＴＡの存在を知らない場合がある。トリガフレームにおけるランダムアクセスのためにＡＰ１１０によってＲＵがどのように割り当てられるかに関する規則は現在存在しないことに留意されたい。場合によっては、トリガフレームにおけるランダムアクセスのためにＡＰ１１０によって割り当てられるＲＵは、２０ＭＨｚ動作ＳＴＡにとって利用可能でない。言い換えれば、トリガフレームにおけるランダムアクセスのために割り当てられるＲＵで、プライマリ２０ＭＨｚチャネル内かつ２０ＭＨｚ動作ＳＴＡの使用が制限されていないものが一つもない。この場合、２０ＭＨｚ動作ＳＴＡは、ランダムアクセスのためのトリガフレームを受信するときにＵＯＲＡ方法２００によってＡＰ１１０に達する機会を得ることができない。
【００２９】
次に、本開示によれば、ＵＯＲＡのための装置および方法の様々な実施形態が、さらに詳細に説明される。
【００３０】
＜第１の実施形態＞
本開示の第１の実施形態によれば、ＡＰ１１０によって動作させられる第１の例示的なＵＯＲＡ方法は、ＡＰ１１０によって送信されるランダムアクセスのためのＮ個ごとに１つのトリガフレームが、２０ＭＨｚ動作ＳＴＡにとって利用可能であるランダムアクセスのための少なくとも１つのＲＵを含むものである。ここで、Ｎは正の整数である。言い換えれば、ランダムアクセスのためのＮ個ごとに１つのトリガフレームが、プライマリ２０ＭＨｚチャネル内にあり、かつ、２０ＭＨｚ動作ＳＴＡの使用が制限されていない、ランダムアクセスのための少なくとも１つのＲＵを含む。
【００３１】
本開示の第１の実施形態によれば、ＡＰ１１０によって動作させられる第２の例示的なＵＯＲＡ方法は、所定の期間（例えば、１つのビーコン間隔）内に、ＡＰ１１０が、２０ＭＨｚ動作ＳＴＡにとって利用可能であるランダムアクセスのための少なくとも１つのＲＵを各々が含むランダムアクセスのための１つまたは複数のトリガフレームを送信するものである。
【００３２】
本開示の第１の実施形態によれば、２０ＭＨｚ動作ＳＴＡは、ランダムアクセスのためのトリガフレームを受信するときにＵＯＲＡメカニズムによってＡＰ１１０に達する機会を与えられる。
【００３３】
図５は、本開示の第１の実施形態に係る、２０ＭＨｚ動作ＳＴＡによって動作させられる第１の例示的なＵＯＲＡ方法５００を示す。ＵＯＲＡ方法５００は、２０ＭＨｚ動作ＳＴＡが、ＡＰ１１０からランダムアクセスのためのトリガフレームを受信するときに開始する。ステップ５０２において、２０ＭＨｚ動作ＳＴＡが、そのＵＬ送信が、最初のトリガベースＰＰＤＵ送信であるか、または、成功したトリガベースＰＰＤＵ送信に後続するか、または、それ以上の再送信が試行されない不首尾なトリガベースＰＰＤＵ送信に後続するかを判定する。そのＵＬ送信が、最初のトリガベースＰＰＤＵ送信である、または、成功したトリガベースＰＰＤＵ送信に後続する、または、それ以上の再送信が試行されない不首尾なトリガベースＰＰＤＵ送信に後続する場合、ステップ５０４において、２０ＭＨｚ動作ＳＴＡは、ＯＣＷの値をＯＣＷｍｉｎに設定し、ＲＡＲ（ランダムアクセス再試行）カウンタをゼロに設定し、ＲＡＲカウンタは、ＳＴＡによって維持される内部カウンタであり、失敗したトリガベースＰＰＤＵ送信の再送信試行の経過を追跡することを目的とする。そうでない場合、ステップ５０６において、２０ＭＨｚ動作ＳＴＡは引き続き、そのＵＬ送信が不首尾なトリガベースＰＰＤＵ送信の再送信であるか否かをチェックする。そのＵＬ送信が不首尾なトリガベースＰＰＤＵ送信の再送信である場合、ＵＯＲＡ方法５００はステップ５１０に進む。そうでない場合、ＵＯＲＡ方法５００はステップ５１２にジャンプする。
【００３４】
ステップ５１０において、２０ＭＨｚ動作ＳＴＡは、そのＯＢＯカウンタをゼロおよびＯＣＷの範囲内のランダム値に初期化し、ＵＯＲＡ方法５００はステップ５１４に進む。ステップ５１２において、２０ＭＨｚ動作ＳＴＡは、そのＯＢＯカウンタがゼロに等しいか否かを判定する。そのＯＢＯカウンタがゼロに等しい場合、これは、２０ＭＨｚ動作ＳＴＡがコンテンションに勝利し、前回受信されたトリガフレームにおけるランダムアクセスのためのＲＵのうちの１つを選択したが、前回選択されたＲＵを含む１つまたは複数の２０ＭＨｚチャネルがビジーであると考えられたため、前回選択されたＲＵにおいてトリガベースＰＰＤＵを送信しなかったことを意味し、ＵＯＲＡ方法５００はステップ５２１に進む。そのＯＢＯカウンタがゼロに等しくない場合、これは、２０ＭＨｚ動作ＳＴＡが、前回受信されたトリガフレームにおけるランダムアクセスのためのＲＵにアクセスするためのコンテンションに勝利しなかったことを意味し、ＵＯＲＡ方法５００はステップ５１４に進む。
【００３５】
ステップ５１４において、２０ＭＨｚ動作ＳＴＡは、そのＯＢＯカウンタが、受信されているトリガフレームにおけるランダムアクセスのためのＲＵの数以下であるか否かをチェックする。そのＯＢＯカウンタが、受信されているトリガフレームにおけるランダムアクセスのためのＲＵの数以下である場合、ステップ５１６において、２０ＭＨｚ動作ＳＴＡは、そのＯＢＯカウンタをゼロにデクリメントする。これは、２０ＭＨｚ動作ＳＴＡが、ランダムアクセスコンテンションに勝利することを意味し、ＵＯＲＡ方法５００はステップ５２１にジャンプする。そうでない場合、ステップ５１８において、２０ＭＨｚ動作ＳＴＡは、そのＯＢＯカウンタを、受信されているトリガフレームにおけるランダムアクセスのためのＲＵの数だけデクリメントし、その後、ＵＯＲＡ方法５００は単に停止する。ＵＯＲＡ方法５００に必要なステップは、ＵＯＲＡ方法２００よりも１つ少ないため、ＵＯＲＡ方法５００のステップ５１４〜ステップ５１８は、ＵＯＲＡ方法２００のステップ２１４〜ステップ２２０よりも効率的に、ランダムアクセスコンテンションを実施することに留意されたい。
【００３６】
ステップ５２１において、２０ＭＨｚ動作ＳＴＡは、２０ＭＨｚ動作ＳＴＡにとって利用可能であるランダムアクセスのための少なくとも１つのＲＵが、受信されているトリガフレーム内に存在するか否かを判定する。ランダムアクセスのためのすべてのトリガフレームが２０ＭＨｚ動作ＳＴＡにとって利用可能であるランダムアクセスのための少なくとも１つのＲＵを含む場合、ステップ５２１はスキップすることができる。２０ＭＨｚ動作ＳＴＡにとって利用可能であるランダムアクセスのための少なくとも１つのＲＵが、受信されているトリガフレーム内に存在する場合、ＵＯＲＡ方法５００はステップ５２２に進む。そうでない場合、ＵＯＲＡ方法５００は単に停止する。
【００３７】
ステップ５２２において、２０ＭＨｚ動作ＳＴＡは、受信されているトリガフレーム内の、２０ＭＨｚ動作ＳＴＡにとって利用可能であるランダムアクセスのためのＲＵのうちの１つをランダムに選択する。ステップ５２４において、２０ＭＨｚ動作ＳＴＡは、選択されているＲＵを含む１つまたは複数の２０ＭＨｚチャネルの各々が、物理的および仮想的の両方のキャリア検知の結果としてアイドルであるか否かをチェックする。選択されているＲＵを含む１つまたは複数の２０ＭＨｚチャネルの各々がアイドルである場合、ステップ５２６において、２０ＭＨｚ動作ＳＴＡは、選択されているＲＵにおいてトリガベースＰＰＤＵを送信する。そうでない場合、ＵＯＲＡ方法５００は単に停止する。２０ＭＨｚ動作ＳＴＡが、１つまたは複数の２０ＭＨｚチャネルのＣＣＡ（クリアチャネル評価）をチェックすることは、ＲＵよりも実際的であるため、ＵＯＲＡ方法５００のステップ５２４は、ＵＯＲＡ方法２００のステップ２２４とは異なることに留意されたい。
【００３８】
ステップ５２８において、２０ＭＨｚ動作ＳＴＡは、選択されているＲＵにおいてトリガベースＰＰＤＵの送信に成功したか否かを判定する。選択されているＲＵにおいて送信されるトリガベースＰＰＤＵが即時の応答を要請し、予測される応答が受信されない場合、送信は不首尾であると考えられ、ＵＯＲＡ方法５００はステップ５３０に進む。そうでない場合、送信は成功したと考えられ、ＵＯＲＡ方法５００は単に停止する。選択されているＲＵにおいて送信されるトリガベースＰＰＤＵが即時の応答を要請しない場合も、送信は成功したと考えられる。ステップ５３０において、２０ＭＨｚ動作ＳＴＡは、ＲＡＲカウンタを１だけインクリメントし、ＯＣＷの値を、ＯＣＷの現在の値に２を乗算して１を加算した値、および、ＯＣＷｍａｘ、の最小値に設定する。ステップ５３２において、２０ＭＨｚ動作ＳＴＡは、ＲＡＲカウンタが、ランダムアクセス再送信試行の最大数を示す、ＲＡＲｅｔｒｙＬｉｍｉｔと称される閾値よりも大きいか否かを判定する。ＲＡＲカウンタが閾値ＲＡＲｅｔｒｙＬｉｍｉｔ以下である場合、ＵＯＲＡ方法５００は単に停止する。そうでない場合、２０ＭＨｚ動作ＳＴＡは、ステップ５３４においてそれ以上再送信試行がなされないと判定し、その後、ＵＯＲＡ方法５００は単に停止する。
【００３９】
第１の例示的なＵＯＲＡ方法５００は２０ＭＨｚ動作ＳＴＡがＲＡＲカウンタを維持することを必要とし、これによって、２０ＭＨｚ動作ＳＴＡが、そのＵＬ送信が、それ以上再送信試行がなされない不首尾なトリガベースＰＰＤＵ送信に後続する場合に、ＯＣＷをＯＣＷｍｉｎにリセットすることを可能にするという点において、第１の例示的なＵＯＲＡ方法５００は例示的なＵＯＲＡ方法２００とは異なることに留意されたい。これによって、２回の連続する再送信試行の失敗後にランダムアクセスのためのトリガフレームを受信するときに、２０ＭＨｚ動作ＳＴＡがランダムアクセスコンテンションに勝利し、ランダムに選択されているＲＵにおけるトリガベースＰＰＤＵの送信に成功する可能性を増大させることができる。
【００４０】
図６は、本開示の第１の実施形態に係る、非２０ＭＨｚ動作ＳＴＡによって動作させられる例示的なＵＯＲＡ方法６００を示す。ＵＯＲＡ方法６００は、非２０ＭＨｚ動作ＳＴＡが、ＡＰ１１０からランダムアクセスのためのトリガフレームを受信するときに開始する。ステップ６０２〜ステップ６１８はそれぞれ、図５に示すＵＯＲＡ方法５００のステップ５０２〜５１８と同じである。
【００４１】
ステップ６２２において、非２０ＭＨｚ動作ＳＴＡは、受信されているトリガフレームにおけるランダムアクセスのためのＲＵの１つをランダムに選択する。ステップ６２４〜ステップ６３４はそれぞれ、図５に示すＵＯＲＡ方法５００のステップ５２４〜５３４と同じである。
【００４２】
図５の例示的なＵＯＲＡ方法５００と同様に、例示的なＵＯＲＡ方法６００は非２０ＭＨｚ動作ＳＴＡがＲＡＲカウンタを維持することを必要とし、これによって、非２０ＭＨｚ動作ＳＴＡが、そのＵＬ送信が、それ以上再送信試行がなされない不首尾なトリガベースＰＰＤＵ送信に後続する場合に、ＯＣＷをＯＣＷｍｉｎにリセットすることを可能にするという点において、例示的なＵＯＲＡ方法６００は例示的なＵＯＲＡ方法２００とは異なることに留意されたい。これによって、２回の連続する再送信試行の失敗後にランダムアクセスのためのトリガフレームを受信するときに、２０ＭＨｚ動作ＳＴＡがランダムアクセスコンテンションに勝利し、ランダムに選択されているＲＵにおけるトリガベースＰＰＤＵの送信に成功する可能性を増大させることができる。
【００４３】
図７は、本開示の第１の実施形態に係る、ＵＯＲＡに関係付けられる第１の例示的なマルチユーザフレーム交換を示す。ＳＴＡ１およびＳＴＡ２は非２０ＭＨｚ動作ＳＴＡであり、ＵＯＲＡ方法６００を使用してＵＬ送信を求めて競合し、一方、ＳＴＡ３は２０ＭＨｚ動作ＳＴＡであり、ＵＯＲＡ方法５００を使用してＵＬ送信を求めて競合する。ＡＰからランダムアクセスのための３つのＲＵ（すなわち、ＡＩＤがゼロに設定されているＲＵ１、ＲＵ２およびＲＵ３）を含むトリガフレーム７５０を受信すると、ＳＴＡ１およびＳＴＡ２はＵＯＲＡ方法６００を開始し、ＳＴＡ３はＵＯＲＡ方法５００を開始する。ここで、ＲＵ１は２０ＭＨｚ動作ＳＴＡにとって利用可能でない。ＳＴＡ１、ＳＴＡ２およびＳＴＡ３の各々のＵＬ送信は、最初のトリガベースＰＰＤＵ送信であるか、または、成功したトリガベースＰＰＤＵ送信に続くものであり、ＳＴＡ１、ＳＴＡ２およびＳＴＡ３のＯＢＯカウンタが、それぞれ１１、５および３に初期化されると仮定する。受信されているトリガフレーム７５０におけるランダムアクセスのためのＲＵの数は３であるため、ＳＴＡ１、ＳＴＡ２およびＳＴＡ３のＯＢＯカウンタはそれぞれ８、２および０になる。最終的に、そのＯＢＯカウンタが０であるＳＴＡ３がランダムアクセスコンテンションに勝利し、２０ＭＨｚ動作ＳＴＡにとって利用可能であるＲＵ３をランダムに選択する。ＲＵ３を含む１つまたは複数の２０ＭＨｚチャネルの各々がアイドルであると考えられる場合、ＳＴＡ３は、トリガフレーム７５０を受信した後に、ＲＵ３  ＳＩＦＳにおいてトリガベースＰＰＤＵ７６０を送信する。ＳＴＡ３が、トリガベースＰＰＤＵ７６０を送信した後、所定の期間内にＡＰから確認応答フレーム７７０を受信した場合、トリガベースＰＰＤＵ７６０の送信は成功である。そうでない場合、トリガベースＰＰＤＵ７６０の送信は不首尾である。
【００４４】
図８は、本開示の第１の実施形態に係る、２０ＭＨｚ動作ＳＴＡによって動作させられる第２の例示的なＵＯＲＡ方法８００を示す。ＵＯＲＡ方法８００は、２０ＭＨｚ動作ＳＴＡが、ＡＰからランダムアクセスのためのトリガフレームを受信するときに開始する。
【００４５】
ステップ８０１において、２０ＭＨｚ動作ＳＴＡは、２０ＭＨｚ動作ＳＴＡにとって利用可能であるランダムアクセスのための少なくとも１つのＲＵが、受信されているトリガフレーム内に存在するか否かを判定する。ランダムアクセスのためのすべてのトリガフレームが２０ＭＨｚ動作ＳＴＡにとって利用可能であるランダムアクセスのための少なくとも１つのＲＵを含む場合、ステップ８０１はスキップすることができる。２０ＭＨｚ動作ＳＴＡにとって利用可能であるランダムアクセスのための少なくとも１つのＲＵが、受信されているトリガフレーム内に存在する場合、ＵＯＲＡ方法８００はステップ８０２に進む。そうでない場合、ＵＯＲＡ方法８００は単に停止する。
【００４６】
ステップ８０２〜ステップ８１２はそれぞれ、図５に示すＵＯＲＡ方法５００のステップ５０２〜５１２と同じである。
【００４７】
ステップ８１４において、２０ＭＨｚ動作ＳＴＡは、そのＯＢＯカウンタが、受信されているトリガフレームにおける２０ＭＨｚ動作ＳＴＡにとって利用可能であるランダムアクセスのためのＲＵの数以下であるか否かをチェックする。そのＯＢＯカウンタが、受信されているトリガフレームにおける２０ＭＨｚ動作ＳＴＡにとって利用可能であるランダムアクセスのためのＲＵの数以下である場合、ステップ８１６において、２０ＭＨｚ動作ＳＴＡは、そのＯＢＯカウンタをゼロにデクリメントする。これは、２０ＭＨｚ動作ＳＴＡが、ランダムアクセスコンテンションに勝利することを意味し、ＵＯＲＡ方法８００はステップ８２２にジャンプする。そうでない場合、ステップ８１８において、２０ＭＨｚ動作ＳＴＡは、そのＯＢＯカウンタを、受信されているトリガフレームにおける２０ＭＨｚ動作ＳＴＡにとって利用可能であるランダムアクセスのためのＲＵの数だけデクリメントし、その後、ＵＯＲＡ方法８００は単に停止する。
【００４８】
図８の第２の例示的なＵＯＲＡ方法８００について、２０ＭＨｚ動作ＳＴＡは、ランダムアクセスコンテンションにおいて、２０ＭＨｚ動作ＳＴＡにとって利用可能であるランダムアクセスのためのＲＵのみを考慮に入れるという点において、ＵＯＲＡ方法８００は、図５の第１の例示的なＵＯＲＡ方法５００と異なることに留意されたい。結果として、ＵＯＲＡ方法８００は、２０ＭＨｚ動作ＳＴＡがそのＯＢＯカウンタをよりゆっくりとデクリメントすることを可能にし、したがって、２０ＭＨｚ動作ＳＴＡがランダムアクセスコンテンションに勝利する機会が低減する。
【００４９】
図８のステップ８２２〜ステップ８３４はそれぞれ、図５に示すＵＯＲＡ方法５００のステップ５２２〜５３４と同じである。
【００５０】
図９は、本開示の第１の実施形態に係る、ＵＯＲＡに関係付けられる第２の例示的なマルチユーザフレーム交換を示す。ＳＴＡ１およびＳＴＡ２は非２０ＭＨｚ動作ＳＴＡであり、図８のＵＯＲＡ方法６００を使用してＵＬ送信を求めて競合し、一方、ＳＴＡ３は２０ＭＨｚ動作ＳＴＡであり、図８のＵＯＲＡ方法８００を使用してＵＬ送信を求めて競合する。ＡＰからランダムアクセスのための３つのＲＵ（すなわち、ＡＩＤがゼロに設定されているＲＵ１、ＲＵ２およびＲＵ３）を含むトリガフレーム９５０を受信すると、ＳＴＡ１およびＳＴＡ２はＵＯＲＡ方法６００を開始し、ＳＴＡ３はＵＯＲＡ方法８００を開始する。ここで、ＲＵ１は２０ＭＨｚ動作ＳＴＡにとって利用可能でない。ＳＴＡ１、ＳＴＡ２およびＳＴＡ３の各々のＵＬ送信は、最初のトリガベースＰＰＤＵ送信であるか、または、成功したトリガベースＰＰＤＵ送信に続くものであり、ＳＴＡ１、ＳＴＡ２およびＳＴＡ３のＯＢＯカウンタが、それぞれ１１、５および３に初期化されると仮定する。受信されているトリガフレーム９５０におけるランダムアクセスのためのＲＵの数は３であり、受信されているトリガフレーム９５０における２０ＭＨｚ動作ＳＴＡにとって利用可能であるランダムアクセスのためのＲＵの数は２であるため、ＳＴＡ１、ＳＴＡ２およびＳＴＡ３のＯＢＯカウンタはそれぞれ８、２および１になる。最終的に、いずれのＳＴＡもランダムアクセスコンテンションに勝利しない。
【００５１】
図１０は、本開示の第１の実施形態に係る、トリガフレーム１０００の例示的なフォーマットを示す。トリガフレーム１０００は、共通情報フィールド１０１０および１つまたは複数のユーザ情報フィールド１０２０を含む。共通情報フィールド１０１０は、トリガタイプサブフィールド１０１２、カスケード指示サブフィールド１０１４およびトリガ依存共通情報サブフィールド１０１６を含む。トリガタイプサブフィールド１０１２およびカスケード指示サブフィールド１０１４は、図４００に示すトリガフレーム４００内のそれらのそれぞれの対応するサブフィールド４１２および４１４と同じである。トリガ依存共通情報サブフィールド１０１６は、２０ＭＨｚ動作ＳＴＡの優先順位を示す、優先順位（Ｐｒｉｏｒｉｔｙ）サブフィールド１０３２をさらに含む。例えば、
−優先順位サブフィールド１０３２は、２０ＭＨｚ動作ＳＴＡの優先順位が非２０ＭＨｚ動作ＳＴＡよりも低いことを示すために、０に設定される。
−優先順位サブフィールド１０３２は、２０ＭＨｚ動作ＳＴＡの優先順位が非２０ＭＨｚ動作ＳＴＡよりも高いことを示すために、１に設定される。
−優先順位サブフィールド１０３２は、２０ＭＨｚ動作ＳＴＡの優先順位が非２０ＭＨｚ動作ＳＴＡと同じであることを示すために、２に設定される。
【００５２】
代替的に、優先順位シグナリングは、ビーコン（Ｂｅａｃｏｎ）フレームまたはプローブ応答（Ｐｒｏｂｅ  Ｒｅｓｐｏｎｓｅ）フレームにおいてブロードキャストされてもよい。図１１は、本開示の第１の実施形態に係る、ビーコンフレームまたはプローブ応答フレームに含まれるＵＯＲＡパラメータエレメント１１００の例示的なフォーマットを示す。ＵＯＲＡエレメント１１００は、図１０の優先順位サブフィールド１０３２と同様に、２０ＭＨｚ動作ＳＴＡの優先順位を示す優先順位フィールド１１１０を含む。
【００５３】
本開示の第１の実施形態によれば、２０ＭＨｚ動作ＳＴＡが第１の例示的なＵＯＲＡ方法５００を使用するか、または、第２の例示的なＵＯＲＡ方法８００を使用するかは、ランダムアクセスのためのトリガフレーム内、または、ビーコンフレームもしくはプローブ応答フレームに含まれるＵＯＲＡパラメータ要素内でブロードキャストされる優先順位シグナリングに応じて決まる。例えば、２０ＭＨｚ動作ＳＴＡの優先順位が非２０ＭＨｚ動作ＳＴＡよりも低い場合、第２のＵＯＲＡ方法８００が２０ＭＨｚ動作ＳＴＡによって使用される。そうでない場合、第１の例示的なＵＯＲＡ方法５００が２０ＭＨｚ動作ＳＴＡによって使用される。結果として、２０ＭＨｚ動作ＳＴＡは、その優先順位に従ってそのＵＯＲＡ動作を最適化することが可能である。
【００５４】
本開示の第１の実施形態によれば、ランダムアクセスのためのトリガフレーム、または、ビーコンフレームもしくはプローブ応答フレームに含まれるＵＯＲＡパラメータ要素において、ＡＰは、各々が特定の優先準位を有するＳＴＡに割り当てられる、複数のＯＣＷｍｉｎおよびＯＣＷｍａｘ値対をブロードキャストすることができる。例えば、ＡＰは、２つのＯＣＷｍｉｎおよびＯＣＷｍａｘ値対をブロードキャストすることができる。第１のＯＣＷｍｉｎおよびＯＣＷｍａｘ値対は、優先順位のより高いＳＴＡに割り当てられ、第２のＯＣＷｍｉｎおよびＯＣＷｍａｘ値対は、優先順位のより低いＳＴＡに割り当てられる。２０ＭＨｚ動作ＳＴＡの優先順位が非２０ＭＨｚ動作ＳＴＡよりも高い場合、第１のＯＣＷｍｉｎおよびＯＣＷｍａｘ値対は２０ＭＨｚ動作ＳＴＡに割り当てられ、第２のＯＣＷｍｉｎおよびＯＣＷｍａｘ値対は非２０ＭＨｚ動作ＳＴＡに割り当てられ、その逆もある。ＳＴＡは、ランダムアクセスのためのトリガフレーム内、または、ビーコンフレームもしくはプローブ応答フレームに含まれるＵＯＲＡパラメータエレメント内で示されるその優先順位に基づいて、そのＯＣＷｍｉｎおよびＯＣＷｍａｘ値を知ることができる。基本的に、優先順位がより高いＳＴＡは、優先順位がより低いＳＴＡよりもＯＣＷｍｉｎおよびＯＣＷｍａｘ値が小さい。結果として、優先順位がより高いＳＴＡは、ＵＯＲＡ方法５００、ＵＯＲＡ方法６００またはＵＯＲＡ方法８００を用いてランダムアクセスコンテンションに勝利する可能性がより高くなり得る。
【００５５】
代替的に、ランダムアクセスのためのトリガフレーム、または、ビーコンフレームもしくはプローブ応答フレームに含まれるＵＯＲＡパラメータエレメントにおいて、ＡＰは、例えば、図１０に示すトリガフレーム１０００のトリガ依存共通情報サブフィールド１０１６内のＯＣＷｍｉｎサブフィールド１０３４およびＯＣＷｍａｘサブフィールド１０３６、または、図１１に示すＵＯＲＡパラメータエレメント１１００内のＯＣＷｍｉｎフィールド１１１２およびＯＣＷｍａｘフィールド１１１４などの、特定の優先準位を有するＳＴＡに割り当てられる、単一のＯＣＷｍｉｎおよびＯＣＷｍａｘ値対をブロードキャストすることができる。別の優先順位を有するＳＴＡのＯＣＷｍｉｎおよびＯＣＷｍａｘの値は、ブロードキャストされているＯＣＷｍｉｎおよびＯＣＷｍａｘ値から導出することができる。例えば、ＡＰは、優先順位がより高いＳＴＡの単一のＯＣＷｍｉｎおよびＯＣＷｍａｘ値対をブロードキャストすることができる。２０ＭＨｚ動作ＳＴＡの優先順位が非２０ＭＨｚ動作ＳＴＡよりも高い場合、ブロードキャストされるＯＣＷｍｉｎおよびＯＣＷｍａｘ値対は２０ＭＨｚ動作ＳＴＡに割り当てられ、非２０ＭＨｚ動作ＳＴＡのＯＣＷｍｉｎおよびＯＣＷｍａｘ値対は、２０ＭＨｚ動作ＳＴＡのＯＣＷｍｉｎおよびＯＣＷｍａｘ値対に所定の正の整数を加算した値に等しい。
【００５６】
＜第２の実施形態＞
本開示の第２の実施形態によれば、ＡＰによって動作させられる第１の例示的なＵＯＲＡ方法は、ＡＰによって送信されるランダムアクセスのためのＮ個ごとに１つのトリガフレームが、２０ＭＨｚ動作ＳＴＡにとって利用可能であるランダムアクセスのための少なくとも１つのＲＵを含むものである。ここで、Ｎは正の整数である。トリガフレームは、２０ＭＨｚ動作ＳＴＡにとって利用可能であるランダムアクセスのための少なくとも１つのＲＵを含むことができ、また、２０ＭＨｚ動作ＳＴＡにとって利用可能でないランダムアクセスのための少なくとも１つのＲＵをも含むことができる。このトリガフレームにおいて、２０ＭＨｚ動作ＳＴＡにとって利用可能であるランダムアクセスのための少なくとも１つのＲＵは、非２０ＭＨｚ動作ＳＴＡに使用されないように制限される。また、非２０ＭＨｚ動作ＳＴＡに使用されないように制限されるランダムアクセスのためのＲＵの数は、２０ＭＨｚ動作ＳＴＡにとって利用可能でないランダムアクセスのためのＲＵの数と同じである。
【００５７】
本開示の第２の実施形態によれば、ＡＰによって動作させられる第２の例示的なＵＯＲＡ方法は、所定の期間（例えば、１つのビーコン間隔）内に、ＡＰが、２０ＭＨｚ動作ＳＴＡにとって利用可能であるランダムアクセスのための少なくとも１つのＲＵを各々が含むランダムアクセスのための１つまたは複数のトリガフレームを送信するものである。２０ＭＨｚ動作ＳＴＡにとって利用可能であるランダムアクセスのための少なくとも１つのＲＵおよび２０ＭＨｚ動作ＳＴＡにとって利用可能でないランダムアクセスのための少なくとも１つのＲＵを含むトリガフレームにおいて、２０ＭＨｚ動作ＳＴＡにとって利用可能であるランダムアクセスのための少なくとも１つのＲＵは、非２０ＭＨｚ動作ＳＴＡに使用されないように制限され、非２０ＭＨｚ動作ＳＴＡに使用されないように制限されるランダムアクセスのためのＲＵの数は、２０ＭＨｚ動作ＳＴＡにとって利用可能でないランダムアクセスのためのＲＵの数と同じである。
【００５８】
本開示の第２の実施形態によれば、２０ＭＨｚ動作ＳＴＡは、ランダムアクセスのためのトリガフレームを受信するときにＵＯＲＡメカニズムによってＡＰに達する機会を与えられる。さらに、ランダムアクセスコンテンションに勝利した後、２０ＭＨｚ動作ＳＴＡが選択されているＲＵにおける送信に成功する可能性は、非２０ＭＨｚ動作ＳＴＡのものと同様であり得る。
【００５９】
図１２は、本開示の第２の実施形態に係る、非２０ＭＨｚ動作ＳＴＡによって動作させられる第１の例示的なＵＯＲＡ方法１２００を示す。２０ＭＨｚ動作ＳＴＡによって動作させられるＵＯＲＡ方法は、図５に示すＵＯＲＡ方法５００または図８に示すＵＯＲＡ方法８００と同じである。図１２のＵＯＲＡ方法１２００は、非２０ＭＨｚ動作ＳＴＡが、ＡＰからランダムアクセスのためのトリガフレームを受信するときに開始する。
【００６０】
ステップ１２０２〜ステップ１２１８はそれぞれ、図５に示すＵＯＲＡ方法５００のステップ５０２〜ステップ５１８と同じである。
【００６１】
ステップ１２２２において、非２０ＭＨｚ動作ＳＴＡは、受信されているトリガフレーム内の、非２０ＭＨｚ動作ＳＴＡにとって利用可能であるランダムアクセスのためのＲＵのうちの１つをランダムに選択する。
【００６２】
ステップ１２２４〜ステップ１２３４はそれぞれ、図５に示すＵＯＲＡ方法５００のステップ５２４〜５３４と同じである。
【００６３】
図１３は、本開示の第２の実施形態に係る、ＵＯＲＡに関係付けられる第１の例示的なマルチユーザフレーム交換を示す。ＳＴＡ１およびＳＴＡ２は非２０ＭＨｚ動作ＳＴＡであり、ＵＯＲＡ方法１２００を使用してＵＬ送信を求めて競合し、一方、ＳＴＡ３は２０ＭＨｚ動作ＳＴＡであり、ＵＯＲＡ方法５００を使用してＵＬ送信を求めて競合する。ＡＰからランダムアクセスのための３つのＲＵ（すなわち、ＡＩＤがゼロに設定されているＲＵ１、ＲＵ２およびＲＵ３）を含むトリガフレーム１３５０を受信すると、ＳＴＡ１およびＳＴＡ２はＵＯＲＡ方法１２００を開始し、ＳＴＡ３はＵＯＲＡ方法５００を開始する。ここで、ＲＵ１は２０ＭＨｚ動作ＳＴＡにとって利用可能でなく、ＲＵ３は非２０ＭＨｚ動作ＳＴＡにとって利用可能でない。ＳＴＡ１、ＳＴＡ２およびＳＴＡ３の各々のＵＬ送信は、最初のトリガベースＰＰＤＵ送信であるか、または、成功したトリガベースＰＰＤＵ送信に続くものであり、ＳＴＡ１、ＳＴＡ２およびＳＴＡ３のＯＢＯカウンタが、それぞれ３、５および１０に初期化されると仮定する。受信されているトリガフレーム１３５０におけるランダムアクセスのためのＲＵの数は３であるため、ＳＴＡ１、ＳＴＡ２およびＳＴＡ３のＯＢＯカウンタはそれぞれ０、２および８になる。最終的に、そのＯＢＯカウンタが０であるＳＴＡ１がランダムアクセスコンテンションに勝利し、非２０ＭＨｚ動作ＳＴＡにとって利用可能であるＲＵ２をランダムに選択する。ＲＵ２を含む１つまたは複数の２０ＭＨｚチャネルの各々がアイドルであると考えられる場合、ＳＴＡ１は、トリガフレーム１３５０を受信した後に、ＲＵ２  ＳＩＦＳにおいてトリガベースＰＰＤＵ１３６０を送信する。ＳＴＡ１が、トリガベースＰＰＤＵ１３６０を送信した後、所定の期間内にＡＰから確認応答フレーム１３７０を受信した場合、トリガベースＰＰＤＵ１３６０の送信は成功である。そうでない場合、トリガベースＰＰＤＵ１３６０の送信は不首尾である。
【００６４】
図１４は、本開示の第２の実施形態に係る、非２０ＭＨｚ動作ＳＴＡによって動作させられる第２の例示的なＵＯＲＡ方法１４００を示す。ＵＯＲＡ方法１４００は、非２０ＭＨｚ動作ＳＴＡが、ＡＰからランダムアクセスのためのトリガフレームを受信するときに開始する。
【００６５】
図１４のステップ１４０２〜ステップ１４１２はそれぞれ、図５に示すＵＯＲＡ方法５００のステップ５０２〜ステップ５１２と同じである。
【００６６】
ステップ１４１４において、非２０ＭＨｚ動作ＳＴＡは、そのＯＢＯカウンタが、受信されているトリガフレームにおける非２０ＭＨｚ動作ＳＴＡにとって利用可能であるランダムアクセスのためのＲＵの数以下であるか否かをチェックする。そのＯＢＯカウンタが、受信されているトリガフレームにおける非２０ＭＨｚ動作ＳＴＡにとって利用可能であるランダムアクセスのためのＲＵの数以下である場合、ステップ１４１６において、非２０ＭＨｚ動作ＳＴＡは、そのＯＢＯカウンタをゼロにデクリメントする。これは、非２０ＭＨｚ動作ＳＴＡが、ランダムアクセスコンテンションに勝利することを意味し、ＵＯＲＡ方法１４００はステップ１４２２にジャンプする。そうでない場合、ステップ１４１８において、非２０ＭＨｚ動作ＳＴＡは、そのＯＢＯカウンタを、受信されているトリガフレームにおける非２０ＭＨｚ動作ＳＴＡにとって利用可能であるランダムアクセスのためのＲＵの数だけデクリメントし、その後、ＵＯＲＡ方法１４００は単に停止する。
【００６７】
図１４の第２の例示的なＵＯＲＡ方法１４００について、非２０ＭＨｚ動作ＳＴＡは、ランダムアクセスコンテンションにおいて、非２０ＭＨｚ動作ＳＴＡにとって利用可能であるランダムアクセスのためのＲＵのみを考慮に入れるという点において、ＵＯＲＡ方法１４００は、図１２の第１の例示的なＵＯＲＡ方法１２００と異なることに留意されたい。結果として、ＵＯＲＡ方法１４００は、非２０ＭＨｚ動作ＳＴＡがそのＯＢＯカウンタをよりゆっくりとデクリメントすることを可能にし、したがって、２０ＭＨｚ動作ＳＴＡがランダムアクセスコンテンションに勝利する機会が低減する。
【００６８】
ステップ１４２２において、非２０ＭＨｚ動作ＳＴＡは、受信されているトリガフレーム内の、非２０ＭＨｚ動作ＳＴＡにとって利用可能であるランダムアクセスのためのＲＵのうちの１つをランダムに選択する。
【００６９】
ステップ１４２４〜ステップ１４３４はそれぞれ、図５に示すＵＯＲＡ方法５００のステップ５２４〜ステップ５３４と同じである。
【００７０】
図１５は、本開示の第２の実施形態に係る、ＵＯＲＡに関係付けられる第２の例示的なマルチユーザフレーム交換を示す。ＳＴＡ１およびＳＴＡ２は非２０ＭＨｚ動作ＳＴＡであり、図１４のＵＯＲＡ方法１４００を使用してＵＬ送信を求めて競合し、一方、ＳＴＡ３は２０ＭＨｚ動作ＳＴＡであり、図８のＵＯＲＡ方法８００を使用してＵＬ送信を求めて競合する。ＡＰからランダムアクセスのための３つのＲＵ（すなわち、ＡＩＤがゼロに設定されているＲＵ１、ＲＵ２およびＲＵ３）を含むトリガフレーム１５５０を受信すると、ＳＴＡ１およびＳＴＡ２はＵＯＲＡ方法１４００を開始し、ＳＴＡ３はＵＯＲＡ方法８００を開始する。ここで、ＲＵ１は２０ＭＨｚ動作ＳＴＡにとって利用可能でなく、ＲＵ３は非２０ＭＨｚ動作ＳＴＡにとって利用可能でない。ＳＴＡ１、ＳＴＡ２およびＳＴＡ３の各々のＵＬ送信は、最初のトリガベースＰＰＤＵ送信であるか、または、成功したトリガベースＰＰＤＵ送信に続くものであり、ＳＴＡ１、ＳＴＡ２およびＳＴＡ３のＯＢＯカウンタが、それぞれ３、５および１１に初期化されると仮定する。受信されているトリガフレーム１５５０におけるランダムアクセスのためのＲＵの数は３であるため、ＳＴＡ１、ＳＴＡ２およびＳＴＡ３のＯＢＯカウンタはそれぞれ１、３および９になる。最終的に、いずれのＳＴＡもランダムアクセスコンテンションに勝利しない。
【００７１】
図１６は、本開示の第２の実施形態に係る、トリガフレーム１６００の例示的なフォーマットを示す。トリガフレーム１６００は、共通情報フィールド１６１０および１つまたは複数のユーザ情報フィールド１６２０を含む。ユーザ情報フィールド１６２０は、ＡＩＤ１２サブフィールド１６２２、ＲＵ配分サブフィールド１６２４、ＳＳ配分サブフィールド１６２６および制限指示（Ｒｅｓｔｒｉｃｔｉｏｎ  Ｉｎｄｉｃａｔｉｏｎ）サブフィールド１６２８を含む。ＡＩＤ１２サブフィールド１６２２、ＲＵ配分サブフィールド１６２４およびＳＳ配分サブフィールド１６２６は、図４に示すトリガフレーム４００内のそれらのそれぞれの対応するサブフィールド４２２、４２４および４２６と同じである。制限指示サブフィールド１６２８は、ランダムアクセスのためのＲＵが、非２０ＭＨｚ動作ＳＴＡに対する使用が制限されるか否かを示す。例えば、
−制限指示サブフィールド１６２８は、ＲＵが非２０ＭＨｚ動作ＳＴＡに対する使用が制限されないことを示すために、０に設定される。
−制限指示サブフィールド１６２８は、ＲＵが非２０ＭＨｚ動作ＳＴＡに対する使用が制限されることを示すために、１に設定される。
【００７２】
＜ＵＬ  ＯＦＤＭＡベースランダムアクセスによる電力節約＞
ＴＷＴ（ターゲット起動時間（Ｔａｒｇｅｔ  Ｗａｋｅ  Ｔｉｍｅ））は、ＡＰが、ＳＴＡが媒体にアクセスするための特定の時間または時間のセットを定義することを可能にする８０２．１１機能である。ＳＴＡおよびＡＰは、ＡＰが、コンテンションの量および競合するＳＴＡの間の重なりを制御することを可能にするための、期待される活動持続時間を含む情報を交換する。ＴＷＴは、それを使用するＳＴＡがそれらのＴＷＴが到来するまでドーズ状態に入ることができるため、ネットワークエネルギー消費を低減するために使用することができる。
【００７３】
図１７は、ＴＷＴエレメント１７００の例示的なフォーマットを示す。ＴＷＴエレメント１７００は、制御（Ｃｏｎｔｒｏｌ）フィールド１７１０、要求タイプ（Ｒｅｑｕｅｓｔ  Ｔｙｐｅ）フィールド１７２０、ターゲット起動時間フィールド１７３０およびＴＷＴ起動間隔仮数（ＴＷＴ  Ｗａｋｅ  Ｉｎｔｅｒｖａｌ  Ｍａｎｔｉｓｓａ）フィールド１７４０を含む。制御フィールド１７１０は、ＴＷＴエレメント１７００によって定義されるＴＷＴ  ＳＰ（サービス期間）がブロードキャストＴＷＴ  ＳＰであるか否かを示す、ブロードキャスト（Ｂｒｏａｄｃａｓｔ）サブフィールド１７１２を含む。ＴＷＴエレメント１７００によって定義されるＴＷＴ  ＳＰがブロードキャストＴＷＴ  ＳＰであることを示すためのブロードキャストサブフィールド１７１２は、１である。そうでない場合、ブロードキャストサブフィールド１７１２は０である。要求タイプフィールド１７２０は、トリガサブフィールド１７２２、ＴＷＴフロー識別子（ＴＷＴ  Ｆｌｏｗ  Ｉｄｅｎｔｉｆｉｅｒ）サブフィールド１７２４およびＴＷＴ起動間隔指数（ＴＷＴ  Ｗａｋｅ  Ｉｎｔｅｒｖａｌ  Ｅｘｐｏｎｅｎｔ）サブフィールド１７２６を含む。トリガサブフィールド１７２２は、ＴＷＴエレメント１７００によって定義されるＴＷＴ  ＳＰがトリガフレームを含むか否かを示す。トリガサブフィールド１７２２は、トリガ有効ＴＷＴ、すなわち、少なくとも１つのトリガフレームがＴＷＴ  ＳＰの間に送信されることを示すために、１に設定される。そうでない場合、トリガサブフィールド１７２２は０である。ブロードキャストＴＷＴ  ＳＰについて、ＴＷＴフロー識別子サブフィールド１７２４は、ブロードキャストＴＷＴ  ＳＰの間にスケジュールされているＳＴＡによって送信されるフレームのタイプに関する推奨を示す値を含む。ＴＷＴフロー識別子サブフィールド１７２４は、ブロードキャストＴＷＴ  ＳＰの間に送信されるフレームに対して制約がないことを示すために０に設定され、ブロードキャストＴＷＴ  ＳＰの間に送信されるトリガフレームは、ランダムアクセスのためのゼロ以上のＲＵを含むことができる。ＴＷＴフロー識別子サブフィールド１７２４は、ｉ）ブロードキャストＴＷＴ  ＳＰの間にスケジューリングＳＴＡによって送信されるフレームに対して制約がなく、ｉｉ）スケジュールされているＳＴＡによってブロードキャストＴＷＴ  ＳＰの間に送信されるフレームが、何らかの特定のタイプのフレーム（例えば、サウンディングフィードバック交換の一部分として送信されるフレーム）に制限されることが推奨され、かつｉｉｉ）ブロードキャストＴＷＴ  ＳＰの間にＡＰによって送信されるトリガフレームがランダムアクセスのためのＲＵを含まないことを示すために、１に設定される。ＴＷＴフロー識別子サブフィールド１７２４は、ｉ）ブロードキャストＴＷＴ  ＳＰの間にスケジューリングＳＴＡによって送信されるフレームに対して制約がなく、ｉｉ）スケジュールされているＳＴＡによってブロードキャストＴＷＴ  ＳＰの間に送信されるフレームが、何らかの特定のタイプのフレーム（例えば、サウンディングフィードバック交換の一部分として送信されるフレーム）に制限されることが推奨され、かつｉｉｉ）ブロードキャストＴＷＴ  ＳＰの間にＡＰによって送信されるトリガフレームがランダムアクセスのための少なくとも１つのＲＵを含むことを示すために、２に設定される。スケジュールされているＳＴＡのＴＷＴ起動時間は、ターゲット起動時間フィールド１７３０によって決定され、一方、スケジュールされているＳＴＡのＴＷＴ起動間隔は、ＴＷＴ起動間隔仮数フィールド１７４０およびＴＷＴ起動間隔指数サブフィールド１７２６によって決定される。
【００７４】
ＵＯＲＡによる第１の例示的な電力節約メカニズムによれば、ＴＷＴエレメント１７００を含むビーコンフレームまたは管理フレームを受信するＳＴＡは、ＴＷＴエレメント１７００によって定義されるＴＷＴ  ＳＰの開始まで、ドーズ状態に入ることができる。このＴＷＴエレメント１７００は、１に設定されているブロードキャストサブフィールド１７１２および２に設定されているＴＷＴフロー識別子サブフィールド１７２４を含む。
【００７５】
ＵＯＲＡによる第２の例示的な電力節約メカニズムによれば、ランダムアクセス配分がトリガ有効ＴＷＴ  ＳＰ内でトリガフレームのシーケンスにおいて行われる場合、シーケンス内のすべてのトリガフレームは、カスケード指示フィールドを０に設定されるべきであるシーケンス内の最後のトリガフレームを除いて、カスケード指示フィールドを１に設定されるべきである。ＳＴＡは、ドーズ状態に入るために、トリガフレーム内でカスケード指示フィールドにおいて指示される値を使用することができる。カスケード指示フィールドが０に設定されるトリガフレームにおけるランダムアクセス手順によってそのＯＢＯカウンタが非ゼロ値にデクリメントされる場合、ＳＴＡは、即時にドーズ状態に入ることができる。カスケード指示フィールドが１に設定されるトリガフレームにおけるランダムアクセス手順によってそのＯＢＯカウンタが非ゼロ値にデクリメントされる場合、ＳＴＡは、カスケードされているトリガフレームにおけるランダムアクセスのために起動したままにすることができる。
【００７６】
＜第３の実施形態＞
図１８は、本開示の第３の実施形態に係る、ＴＷＴエレメント１８００の例示的なフォーマットを示す。ＴＷＴエレメント１８００は、制御フィールド１８１０、要求タイプフィールド１８２０、ターゲット起動時間フィールド１８３０およびＴＷＴ起動間隔仮数フィールド１８４０を含む。制御フィールド１８１０は、ブロードキャストサブフィールド１８１２を含む。要求タイプフィールド１８２０は、トリガサブフィールド１８２２、ＴＷＴフロー識別子サブフィールド１８２４およびＴＷＴ起動間隔指数サブフィールド１８２６を含む。要求タイプフィールド１８２０、ターゲット起動時間フィールド１８３０およびＴＷＴ起動間隔仮数フィールド１８４０は、それらの対応するフィールド１７２０、１７３０および１７４０とまったく同じである。制御フィールド１８１０が追加のＲＡ（ランダムアクセス）制限フィールド１８１８を含むという点において、制御フィールド１８１０はその対応するフィールド１７１０と異なる。ＲＡ制限フィールド１８１８は、ＴＷＴエレメント１８００によって定義されるブロードキャストＴＷＴ  ＳＰ内で送信されるトリガフレームにおけるランダムアクセスのための少なくとも１つのＲＵが、２０ＭＨｚ動作ＳＴＡにとって利用可能であるか否かを示す。ＲＡ制限フィールド１８１８は、ブロードキャストＴＷＴ  ＳＰ内で送信されるトリガフレームにおけるランダムアクセスのための少なくとも１つのＲＵが、２０ＭＨｚ動作ＳＴＡにとって利用可能であることを示すために、０に設定される。そうでない場合、ＲＡ制限フィールド１８１８は１に設定される。
【００７７】
本開示の第３の実施形態によれば、２０ＭＨｚ動作ＳＴＡがＴＷＴエレメント１８００を含むビーコンフレームまたは管理フレームを受信すると、２０ＭＨｚ動作ＳＴＡは、ＴＷＴエレメント１８００によって定義されるＴＷＴ  ＳＰの開始まで、ドーズ状態に入ることができる。このＴＷＴエレメント１８００は、１に設定されているブロードキャストサブフィールド１８１２、１に設定されているトリガサブフィールド１８２２、０に設定されているＲＡ制限フィールド１８１８、および、０または２のいずれかに設定されているＴＷＴフロー識別子サブフィールド１８２４を含む。また、ＴＷＴエレメント１８００によって定義されるトリガベースＴＷＴ  ＳＰは、ランダムアクセスのための少なくとも１つのＲＵが２０ＭＨｚ動作ＳＴＡにとって利用可能である、ランダムアクセスのための１つまたは複数のトリガフレームを含む。２０ＭＨｚ動作ＳＴＡが、ブロードキャストサブフィールド１８１２が１に設定されており、トリガサブフィールド１８２２が１に設定されており、ＲＡ制限フィールド１８１８が１に設定されているＴＷＴエレメント１８００を含むビーコンフレームまたは管理フレームを受信するとき、すなわち、ＴＷＴエレメント１８００によって定義されるトリガベースＴＷＴ  ＳＰが、ランダムアクセスのためのいかなるＲＵも２０ＭＨｚ動作ＳＴＡにとって利用可能でないランダムアクセスのための１つまたは複数のトリガフレームを含むとき、２０ＭＨｚ動作ＳＴＡは、少なくとも、ＴＷＴエレメント１８００によって定義されるＴＷＴ  ＳＰの終わりまで、ドーズ状態に入ることができる。結果として、本開示の第３の実施形態によれば、ＴＷＴエレメント１８００内のＲＡ制限フィールド１８１８を使用して、２０ＭＨｚ動作ＳＴＡは、ＵＯＲＡによる第１の例示的な電力節約メカニズムと比較して、さらにより多くの電力を節約することが可能であり得る。
【００７８】
本開示の第３の実施形態によれば、２０ＭＨｚ動作ＳＴＡまたは非２０ＭＨｚ動作ＳＴＡが、ＴＷＴエレメント１８００内のシグナリングフィールドの値を利用して、様々な方法でより多くの電力を節約することが可能である。第１の例について、非２０ＭＨｚ動作ＳＴＡが、ブロードキャストサブフィールド１８１２が１に設定されており、トリガサブフィールド１８２２が１に設定されており、ＴＷＴフロー識別子サブフィールド１８２４が０または２のいずれかに設定されているＴＷＴエレメント１８００を含むビーコンフレームまたは管理フレームを受信するとき、すなわち、ＴＷＴエレメント１８００によって定義されるトリガベースＴＷＴ  ＳＰが、ランダムアクセスのための０以上のＲＵを含むとき、非２０ＭＨｚ動作ＳＴＡは、ＴＷＴエレメント１８００によって定義されるＴＷＴ  ＳＰの開始まで、ドーズ状態に入ることができる。第２の例について、非２０ＭＨｚ動作ＳＴＡまたは２０ＭＨｚ動作ＳＴＡが、ブロードキャストサブフィールド１８１２が１に設定されており、トリガサブフィールド１８２２が１に設定されており、ＴＷＴフロー識別子サブフィールド１８２４が１に設定されているＴＷＴエレメント１８００を含むビーコンフレームまたは管理フレームを受信するとき、すなわち、ＴＷＴエレメント１８００によって定義されるトリガベースＴＷＴ  ＳＰが、ランダムアクセスのためのＲＵを含まないとき、非２０ＭＨｚ動作ＳＴＡまたは２０ＭＨｚ動作ＳＴＡは、少なくとも、ＴＷＴエレメント１８００によって定義されるＴＷＴ  ＳＰの終わりまで、ドーズ状態に入ることができる。第３の例について、非２０ＭＨｚ動作ＳＴＡまたは２０ＭＨｚ動作ＳＴＡが、ブロードキャストサブフィールド１８１２が１に設定されており、トリガサブフィールド１８２２が０に設定されているＴＷＴエレメント１８００を含むビーコンフレームまたは管理フレームを受信するとき、すなわち、ＴＷＴエレメント１８００によって定義されるＴＷＴ  ＳＰが、トリガフレームを一切含まないとき、非２０ＭＨｚ動作ＳＴＡまたは２０ＭＨｚ動作ＳＴＡは、少なくとも、ＴＷＴエレメント１８００によって定義されるＴＷＴ  ＳＰの終わりまで、ドーズ状態に入ることができる。
【００７９】
＜第４の実施形態＞
本開示の第４の実施形態によれば、図１０に示すトリガフレーム１０００の共通情報フィールド１０１０は、後続ＴＦ−Ｒ指示（Ｓｕｂｓｅｑｕｅｎｔ  ＴＦ−Ｒ  Ｉｎｄｉｃａｔｉｏｎ）サブフィールド１０１８を含むことができる。この後続ＴＦ−Ｒ指示サブフィールド１０１８は、任意の後続のトリガフレームが、２０ＭＨｚ動作ＳＴＡにとって利用可能であるランダムアクセスのための少なくとも１つのＲＵを含むか否かを示すための情報を含む。後続ＴＦ−Ｒ指示サブフィールド１０１８は、後続のトリガフレームが、２０ＭＨｚ動作ＳＴＡにとって利用可能であるランダムアクセスのための少なくとも１つのＲＵを含むことを示すために、１に設定される。そうでない場合、後続ＴＦ−Ｒ指示サブフィールド１０１８は０に設定される。
【００８０】
本開示の第４の実施形態によれば、ランダムアクセス配分がトリガ有効ＴＷＴ  ＳＰ内でトリガフレームのシーケンスにおいて行われる場合、シーケンス内のすべてのトリガフレームは、カスケード指示フィールドを０に設定されるべきであるシーケンス内の最後のトリガフレームを除いて、カスケード指示フィールドを１に設定されるべきである。
【００８１】
本開示の第４の実施形態によれば、ランダムアクセス配分がトリガ有効ＴＷＴ  ＳＰ内でトリガフレームのシーケンスにおいて行われる場合、シーケンス内のトリガフレームは、シーケンス内の後続のトリガフレームが、２０ＭＨｚ動作ＳＴＡにとって利用可能であるランダムアクセスのためのＲＵを一切含まない場合に、後続ＴＦ−Ｒ指示サブフィールドを０に設定されるべきである。
【００８２】
本開示の第４の実施形態によれば、２０ＭＨｚ動作ＳＴＡまたは非２０ＭＨｚ動作ＳＴＡが、様々な方法における電力節約を目的として、トリガフレーム内のカスケード指示フィールドにおいて示される値を利用することができる。第１の例について、ＯＢＯカウンタが、カスケード指示フィールドが０に設定されているトリガフレームにおいてＵＯＲＡ方法（例えば、ＵＯＲＡ方法５００、ＵＯＲＡ方法８００、ＵＯＲＡ方法６００、ＵＯＲＡ方法１２００またはＵＯＲＡ方法１４００）によって非ゼロ値にデクリメントする場合、または、ＯＢＯカウンタが、カスケード指示フィールドが０に設定されているトリガフレームにおいてＵＯＲＡ方法（例えば、ＵＯＲＡ方法５００、ＵＯＲＡ方法８００、ＵＯＲＡ方法６００、ＵＯＲＡ方法１２００またはＵＯＲＡ方法１４００）によって、ゼロにデクリメントされるが、選択されているＲＵを含む１つまたは複数の２０ＭＨｚチャネルの各々がビジーであると考えられる、すなわち、カスケードされているトリガフレームがそれ以上存在しない場合、２０ＭＨｚ動作ＳＴＡまたは非２０ＭＨｚ動作ＳＴＡは、即時にドーズ状態に入ることができる。ＯＢＯカウンタが、カスケード指示フィールドが１に設定されているトリガフレームにおいてＵＯＲＡ方法（例えば、ＵＯＲＡ方法６００、ＵＯＲＡ方法１２００またはＵＯＲＡ方法１４００）によって非ゼロ値にデクリメントする場合、または、ＯＢＯカウンタが、カスケード指示フィールドが１に設定されているトリガフレームにおいてＵＯＲＡ方法（例えば、ＵＯＲＡ方法６００、ＵＯＲＡ方法１２００またはＵＯＲＡ方法１４００）によって、ゼロにデクリメントされるが、選択されているＲＵを含む１つまたは複数の２０ＭＨｚチャネルの各々がビジーであると考えられる、すなわち、少なくとももう１つ以上のカスケードされているトリガフレームが存在する場合、非２０ＭＨｚ動作ＳＴＡは、カスケードされているトリガフレームにおけるランダムアクセスのために起動したままにすることができる。
【００８３】
本開示の第４の実施形態によれば、２０ＭＨｚ動作ＳＴＡは、ドーズ状態に入るために、トリガフレーム内でカスケード指示フィールドにおいて示される値および後続ＴＦ−Ｒ指示サブフィールドにおいて示される値を使用することができる。例えば、ＯＢＯカウンタが、カスケード指示フィールドが１に設定されており、後続ＴＦ−Ｒ指示サブフィールドが０に設定されているトリガフレームにおいてＵＯＲＡ方法（例えば、ＵＯＲＡ方法５００またはＵＯＲＡ方法８００）によって非ゼロ値にデクリメントする場合、カスケードされているトリガフレームにおけるランダムアクセスのための一切のＲＵは、２０ＭＨｚ動作ＳＴＡにとって利用可能でない。従って、２０ＭＨｚ動作ＳＴＡは、即時にドーズ状態に入ることができる。別の例について、ＯＢＯカウンタが、カスケード指示フィールドが１に設定されており、後続ＴＦ−Ｒ指示サブフィールドが０に設定されているトリガフレームにおいてＵＯＲＡ方法（例えば、ＵＯＲＡ方法５００またはＵＯＲＡ方法８００）によってゼロにデクリメントするが、選択されているＲＵを含む１つまたは複数の２０ＭＨｚチャネルの各々がビジーであると考えられる場合、カスケードされているトリガフレームにおけるランダムアクセスのための一切のＲＵは、２０ＭＨｚ動作ＳＴＡにとって利用可能でない。従って、２０ＭＨｚ動作ＳＴＡは、即時にドーズ状態に入ることができる。
【００８４】
結果として、本開示の第４の実施形態によれば、トリガフレーム内の後続ＴＦ−Ｒ指示サブフィールドを使用して、２０ＭＨｚ動作ＳＴＡは、ＵＯＲＡによる第２の例示的な電力節約メカニズムと比較して、さらにより多くの電力を節約することが可能であり得る。ＯＢＯカウンタが、カスケード指示フィールドが１に設定されており、後続ＴＦ−Ｒ指示サブフィールドが１に設定されているトリガフレームにおいてＵＯＲＡ方法（例えば、ＵＯＲＡ方法５００またはＵＯＲＡ方法８００）によって非ゼロ値にデクリメントする場合、カスケードされているトリガフレームにおけるランダムアクセスのための少なくとも１つのＲＵが、２０ＭＨｚ動作ＳＴＡにとって利用可能である。従って、２０ＭＨｚ動作ＳＴＡは、カスケードされているトリガフレームにおけるランダムアクセスのために起動したままにすることができる。または、ＯＢＯカウンタが、カスケード指示フィールドが１に設定されており、後続ＴＦ−Ｒ指示サブフィールドが１に設定されているトリガフレームにおいてＵＯＲＡ方法（例えば、ＵＯＲＡ方法５００またはＵＯＲＡ方法８００）によってゼロにデクリメントするが、選択されているＲＵを含む１つまたは複数の２０ＭＨｚチャネルの各々がビジーであると考えられる場合、カスケードされているトリガフレームにおけるランダムアクセスのための少なくとも１つのＲＵが、２０ＭＨｚ動作ＳＴＡにとって利用可能である。従って、２０ＭＨｚ動作ＳＴＡは、カスケードされているトリガフレームにおけるランダムアクセスのために起動したままにすることができる。
【００８５】
＜ＳＴＡの構成＞
図１９Ａは、図１のＳＴＡのいずれか１つであってもよい、例示的なＳＴＡ１９００Ａの単純なブロック図である。ＳＴＡ１９００Ａは、受信信号処理回路１９０４と、受信部１９０６とを備える。受信部１９０６は、ＡＰによって送信される複数の信号を受信する。受信信号の各々は、ランダムアクセスのためのトリガフレーム、ＴＷＴエレメントを含むビーコンフレーム、または、ＴＷＴエレメントを含む管理フレームを搬送することができる。トリガフレームは、本開示の第１の実施形態、第２の実施形態、および／または、第４の実施形態に従って構成される。ＴＷＴエレメントは、本開示の第３の実施形態に従って構成される。受信信号処理回路１９０４は、受信信号を処理する。
【００８６】
図１９Ｂは、図１のＳＴＡのいずれか１つであってもよい、例示的なＳＴＡ１９００Ｂの詳細なブロック図である。ＳＴＡ１９００Ｂは、メモリ１９２０、補助記憶装置１９４０および１つまたは複数のワイヤレス通信インターフェース１９５０に結合されているＣＰＵ（中央処理装置）１９３０を備える。補助記憶装置１９４０は、関連する命令コードおよびデータなどを永続的に記憶するために使用される不揮発性コンピュータ可読記憶媒体であってもよい。始動時に、ＣＰＵ１９３０は、命令コードおよび関連データを、実行のために揮発性メモリ１９２０にコピーすることができる。命令コードは、ＳＴＡ１９００Ｂの動作に必要とされる、オペレーティングシステム、ユーザアプリケーション、デバイスドライバおよび実行コードなどであってもよい。ＳＴＡ１９００Ｂはまた、例えば、リチウムイオンバッテリまたはコイン電池バッテリなどの電源１９１０を備えることもできる。ワイヤレス通信インターフェース１９５０は、セルラ通信のためのインターフェース、もしくは、Ｚｉｇｂｅｅのような短距離通信プロトコルのためのインターフェースを含んでもよく、または、ワイヤレス通信インターフェース１９５０はＷＬＡＮインターフェースであってもよい。ワイヤレス通信インターフェース１９５０は、ＭＡＣ（媒体アクセス制御レイヤ）モジュール１９８０およびＰＨＹ（物理レイヤ）モジュール１９６０をさらに備えることができる。ＭＡＣモジュール１９８０は、本開示の第１の実施形態または第２の実施形態に従ってＵＯＲＡ方法を動作させる役割を担うＵＯＲＡ回路１９８２を備えることができる。ＭＡＣモジュール１９８０はまた、本開示の第３の実施形態および第４の実施形態に従ってＳＴＡ１９００Ｂを、ドーズ状態に入るように構成する役割を担う電力節約回路１９８４を備えることもできる。ＭＡＣモジュール１９８０はまた、送信されるべきＭＡＣフレームを生成し、受信されるＭＡＣフレーム（例えば、トリガフレーム、ビーコンフレームなど）を処理する役割を担うメッセージ処理回路１９８６を備えることもできる。ＰＨＹモジュール１９６０は、ＭＡＣモジュール１９８０のデータを送信信号に変換し／受信信号からＭＡＣモジュール１９８０のデータに変換する役割を担う。ワイヤレス通信インターフェース１９５０はまた、ＰＨＹモジュール１９６０を介して、ワイヤレス媒体上でワイヤレス通信信号を実際に送信し／ワイヤレス媒体からワイヤレス通信信号を実際に受信する役割を担う１つまたは複数のアンテナ１９７０に結合することもできる。
【００８７】
ＳＴＡ１９００Ｂは、明瞭にするために図１９Ｂには示されていない多くの他の構成要素を備えてもよい。本開示に最も関連性のある構成要素のみが示されている。
【００８８】
＜アクセスポイントの構成＞
図２０Ａは、図１のＡＰ１１０であってもよい、例示的なＡＰ２０００Ａの単純なブロック図である。ＡＰ２０００Ａは、送信信号生成回路２００４と、送信部２００６とを備える。送信信号生成回路２００４は、複数の送信信号を生成する。送信信号の各々は、ランダムアクセスのためのトリガフレーム、ＴＷＴエレメントを含むビーコンフレーム、または、ＴＷＴエレメントを含む管理フレームを搬送することができる。トリガフレームは、本開示の第１の実施形態、第２の実施形態、および／または、第４の実施形態に従って構成される。ＴＷＴエレメントは、本開示の第３の実施形態に従って構成される。送信部２００６は、生成されている送信信号を送信する。
【００８９】
図２０Ｂは、図１のＡＰ１１０であってもよい、例示的なＡＰ２０００Ｂの詳細なブロック図である。ＡＰ２０００Ｂは、メモリ２０２０、補助記憶装置２０４０、１つまたは複数のワイヤレス通信インターフェース２０５０、および、他の有線通信インターフェース２０８０に結合されているＣＰＵ２０３０を備える。補助記憶装置２０４０は、関連する命令コードおよびデータなどを永続的に記憶するために使用される不揮発性コンピュータ可読記憶媒体であってもよい。始動時に、ＣＰＵ２０３０は、命令コードおよび関連データを、実行のために揮発性メモリ２０２０にコピーすることができる。命令コードは、ＡＰ２０００Ｂの動作に必要とされる、オペレーティングシステム、ユーザアプリケーション、デバイスドライバおよび実行コードなどであってもよい。命令コードのサイズ、ひいては補助記憶装置２０４０とメモリ２０２０の両方の記憶容量は、ＳＴＡ１９００Ｂのものよりも実質的に大きいものであってもよい。
【００９０】
ＡＰ２０００Ｂはまた、ほとんどの場合は主電源であってもよいが、場合によってはまた、例えば自動車用バッテリなどの何らかの種類の大容量バッテリであってもよい、電源２０１０を備えることもできる。有線通信インターフェース２０９０は、ｅｔｈｅｒｎｅｔインターフェース、電力線インターフェース、または電話回線インターフェースなどであってもよい。ワイヤレス通信インターフェース２０５０は、セルラ通信のためのインターフェース、もしくは、Ｚｉｇｂｅｅのような短距離通信プロトコルのためのインターフェースを含んでもよく、または、ワイヤレス通信インターフェース２０５０はＷＬＡＮインターフェースであってもよい。
【００９１】
ワイヤレス通信インターフェース２０５０は、ＭＡＣモジュール２０８０およびＰＨＹモジュール２０６０をさらに備えることができる。ＭＡＣモジュール２０８０は、ＲＵをＤＬまたはＵＬ  ＯＦＤＭＡ送信のために配分する役割を担うＲＵ配分スケジューリング回路２０８２を備えることができる。特に、ＲＵ配分スケジューリング回路２０８２は、本開示の第１の実施形態または第２の実施形態に従って、トリガフレームにおけるランダムアクセスのためにＲＵを配分する。ＭＡＣモジュール２０８０はまた、送信されるべきＭＡＣメッセージを生成し、受信されるＭＡＣメッセージを処理する役割を担うメッセージ処理回路２０８４を備えることもできる。特に、メッセージ処理回路２０８４は、本開示の第１の実施形態、第２の実施形態、第３の実施形態または第４の実施形態に従って、トリガフレーム、ビーコンフレームもしくは管理フレームに含まれるＴＷＴエレメント、または、ビーコンフレームもしくはプローブ応答フレームに含まれるＵＯＲＡパラメータエレメントを生成する。
【００９２】
ＰＨＹモジュール２０６０は、ＭＡＣモジュール２０８０のデータを送信信号に変換し／受信信号からＭＡＣモジュール２０８０のデータに変換する役割を担う。ワイヤレス通信インターフェース２０５０はまた、ＰＨＹモジュール２０６０を介して、ワイヤレス媒体上でワイヤレス通信信号を実際に送信し／ワイヤレス媒体からワイヤレス通信信号を実際に受信する役割を担う１つまたは複数のアンテナ２０７０に結合することもできる。
【００９３】
ＡＰ２０００Ｂは、明瞭にするために図２０Ｂには示されていない多くの他の構成要素を備えてもよい。本開示に最も関連性のある構成要素のみが示されている。
【００９４】
本開示は、ソフトウェア、ハードウェア、またはハードウェアと協働するソフトウェアによって実現することができる。上述した各実施形態の記述において使用されている各機能ブロックは、部分的にまたは全体的に、集積回路などのＬＳＩによって実現することができ、各実施形態において記述されている各プロセスは、部分的にまたは全体的に、同じＬＳＩまたは複数のＬＳＩの組み合わせによって制御することができる。ＬＳＩは、チップとして個々に形成されてもよく、または、１つのチップが、それら機能ブロックの一部分またはすべてを含むように形成されてもよい。ＬＳＩは、それらに結合されているデータ入力および出力を含むことができる。本明細書において、ＬＳＩは、集積度の差に応じて、ＩＣ、システムＬＳＩ、スーパーＬＳＩ、またはウルトラＬＳＩと呼称されてもよい。しかしながら、集積回路を実装する技法は、ＬＳＩに限定されず、専用回路、汎用プロセッサ、または専用プロセッサを使用することによって実現されてもよい。加えて、ＬＳＩの製造後にプログラムすることができるＦＰＧＡ（フィールドプログラマブルゲートアレイ）、または、ＬＳＩの内部に配置される回路セルの接続および設定を再構成することができる再構成可能プロセッサが使用されてもよい。本開示は、半導体技術または他の派生技術の進歩の結果として、デジタル処理またはアナログ処理として実現することができる。
【００９５】
半導体技術または半導体技術から派生する他の技術の進歩の結果として、ＬＳＩに代わる回路集積技術が出現した場合、機能ブロックは、その将来の集積回路技術を使用して集積することができる。別の可能性として、生命工学などの応用が考えられる。
【産業上の利用可能性】
【００９６】
本開示は、マルチユーザワイヤレス通信システムにおけるランダムアクセスのための方法に適用することができる。
【符号の説明】
【００９７】
１９００Ａ、１９００Ｂ  ＳＴＡ
１９０４  受信信号処理回路
１９０６  受信部
１９１０、２０１０  電源
１９２０、２０２０  メモリ
１９３０、２０３０  ＣＰＵ
１９４０、２０４０  補助記憶装置
１９５０、２０５０  ワイヤレスインターフェース
１９６０、２０６０  ＰＨＹモジュール
１９７０、２０７０  アンテナ
１９８０、２０８０  ＭＡＣモジュール
１９８２  ＵＯＲＡ回路
１９８４  電力節約回路
１９８６、２０８４  メッセージ処理回路
２０００Ａ、２０００Ｂ  ＡＰ
２００４  送信信号生成回路
２００６  送信部
２０８２  ＲＵ配分スケジューリング回路
２０９０  有線通信インターフェース
【図１】
2019531012.tif 000003
【図２】
2019531012.tif 000004
【図３】
2019531012.tif 000005
【図４】
2019531012.tif 000006
【図５】
2019531012.tif 000007
【図６】
2019531012.tif 000008
【図７】
2019531012.tif 000009
【図８】
2019531012.tif 000010
【図９】
2019531012.tif 000011
【図１０】
2019531012.tif 000012
【図１１】
2019531012.tif 000013
【図１２】
2019531012.tif 000014
【図１３】
2019531012.tif 000015
【図１４】
2019531012.tif 000016
【図１５】
2019531012.tif 000017
【図１６】
2019531012.tif 000018
【図１７】
2019531012.tif 000019
【図１８】
2019531012.tif 000020
【図１９Ａ】
2019531012.tif 000021
【図１９Ｂ】
2019531012.tif 000022
【図２０Ａ】
2019531012.tif 000023
【図２０Ｂ】
2019531012.tif 000024
【国際調査報告】
2019531012.tif 000025
2019531012.tif 000026